(57)【要約】【課題】遊技用記録媒体の盗難並びに計数ゴトを抑止することを課題とする。【解決手段】各台計数システム１において、ＣＲユニット３０では、当該ＣＲユニット３０に対応するパチンコ機４０の台番号を示す台番号データ及び持ち玉データをプリペイドカードに関連付け、景品管理装置５０では、プリペイドカードに関連付けられた台番号データ及び持ち玉データを取得し、取得した台番号データ及び持ち玉データを係員向けの表示部及び遊技者向けの表示部に表示させることとした。【選択図】        図１
2010042112.tif 000002
【特許請求の範囲】
【請求項１】
各遊技台に対応して配設され、当該遊技台における遊技結果として計数した遊技媒体の計数値と該計数値の払戻し数もしくはこれらの差分値である持ち遊技媒体数のいずれかを持ち遊技媒体データとして記録媒体に関連付けて発行する各台対応装置と、前記記録媒体に関連付けられた持ち遊技媒体データから交換景品相当の遊技媒体数を減算する交換制御を行う景品管理装置とを有する各台計数システムであって、
前記各台対応装置は、
当該各台対応装置に対応する遊技台の台識別子を示す台識別データ及び前記持ち遊技媒体データを前記記録媒体に関連付ける関連付け手段を備え、
前記景品管理装置は、
前記関連付け手段によって前記記録媒体に関連付けられた台識別データ及び持ち遊技媒体データを取得する取得手段と、
景品交換を行う遊技者向けの表示部または交換業務を行う係員向けの表示部のうち少なくともいずれか一方に、前記取得手段によって取得された台識別データ及び持ち遊技媒体データを表示させる表示制御手段とを備えた
ことを特徴とする各台計数システム。
【請求項２】
前記関連付け手段は、
他の各台対応装置によって既に前記記録媒体に関連付けられている台識別データ及び持ち遊技媒体データとともに、当該各台対応装置に対応する台識別データ及び持ち遊技媒体データを前記記録媒体に関連付け、
前記取得手段は、
前記関連付け手段によって前記記録媒体に関連付けられた全ての台識別データ及び持ち遊技媒体データを取得することを特徴とする請求項１に記載の各台計数システム。
【請求項３】
前記関連付け手段は、
他の各台対応装置によって既に前記記録媒体に関連付けられている台識別データ及び持ち遊技媒体データを無効化するとともに、当該各台対応装置に対応する台識別データ及び持ち遊技媒体データを前記記録媒体に関連付けることを特徴とする請求項１に記載の各台計数システム。
【請求項４】
各遊技台の台データを収集する台データ管理装置を備え、
前記台データ管理装置は、
各遊技台の台識別データに対応付けて、当該遊技台による遊技媒体の払出し数と当該遊技台への遊技媒体の打込み数もしくは前記払出し数と前記打込み数との差分値である差遊技媒体数を台データとして記憶する台データ記憶手段を備え、
前記景品管理装置は、
前記取得手段によって取得された台識別データに対応する台データを前記台データ管理装置に問い合わせる台データ問合せ手段と、
前記台データ問合せ手段による問合せ結果から得られた差遊技媒体数と、前記取得手段による取得結果から得られた持ち遊技媒体数とのずれが許容範囲内であるか否かを判定する判定手段とを備えたことを特徴とする請求項１、２または３に記載の各台計数システム。
【請求項５】
前記台データ管理装置は、
各遊技台の台識別データごとに当該遊技台に関する機種データを記憶する機種データ記憶手段をさらに備え、
前記景品管理装置は、
前記取得手段によって取得された台識別データに対応する機種データを前記台データ管理装置に問い合わせる機種データ問合せ手段をさらに備え、
前記表示制御手段は、
前記機種データ問合せ手段による問合せ結果として得られた機種データを表示させることを特徴とする請求項４に記載の各台計数システム。
【請求項６】
各遊技台に対応して配設され、当該遊技台における遊技結果として計数した遊技媒体の計数値と該計数値の払戻し数もしくはこれらの差分値である持ち遊技媒体数のいずれかを持ち遊技媒体データとして記録媒体に関連付けて発行する各台対応装置と、前記遊技台またはその周辺を撮像する撮像装置の撮像制御を行う撮像制御装置と、前記記録媒体に関連付けられた持ち遊技媒体データから交換景品相当の遊技媒体数を減算する交換制御を行う景品管理装置とを有する各台計数システムであって、
前記各台対応装置は、
当該各台対応装置に対する遊技者の所定の操作が検知された場合に、当該操作の受付を前記撮像制御装置に通知する操作受付通知手段と、
前記撮像装置によって撮像された画像に紐付けられる画像紐付けデータを取得する画像紐付けデータ取得手段と、
前記画像紐付けデータ取得手段によって取得された画像紐付けデータを前記記録媒体に関連付ける関連付け手段とを備え、
前記撮像制御装置は、
前記操作受付通知手段によって前記操作の受付が通知されたタイミングで前記撮像装置に撮像させた撮像画像を取得する撮像画像取得手段と、
前記撮像画像取得手段によって取得された撮像画像を所定の画像紐付けデータに紐付ける紐付け手段と、
前記撮像装置による撮像画像を記憶する撮像画像記憶手段に対して、前記紐付け手段によって紐付けられた画像紐付けデータに対応付けて前記撮像画像取得手段によって取得された撮像画像を格納する撮像画像格納手段とを備え、
前記景品管理装置は、
前記関連付け手段によって前記記録媒体に関連付けられた画像紐付けデータを取得する関連付けデータ取得手段と、
前記関連付けデータ取得手段によって取得された画像紐付けデータに対応する撮像画像を前記撮像制御装置に問い合わせる問合せ手段と、
景品交換を行う遊技者向けの表示部または交換業務を行う係員向けの表示部のうち少なくともいずれか一方に、前記問合せ手段による問合せ結果として得られた撮像画像を表示させる表示制御手段とを備えた
ことを特徴とする各台計数システム。
【請求項７】
前記景品管理装置は、
前記景品交換を行う遊技者を撮像する撮像手段と、
前記撮像手段によって撮像された遊技者の撮像画像と、前記問合せ手段による問合せ結果として得られた撮像画像とを用いて、当該景品交換を行う遊技者が前記持ち遊技媒体数を保有する遊技者本人であるか否かを認証する本人認証手段とをさらに備えたことを特徴とする請求項６に記載の各台計数システム。
【請求項８】
各遊技台に対応して配設される各台対応装置によって遊技媒体の計数値と該計数値の払戻し数もしくはこれらの差分値である持ち遊技媒体数のいずれかが持ち遊技媒体データとして関連付けられた記録媒体に基づいて景品の交換制御を行う景品管理装置であって、
前記各台対応装置によって遊技台の台識別子を示す台識別データ及び前記持ち遊技媒体データが関連付けられた記録媒体から台識別データ及び持ち遊技媒体データを取得する取得手段と、
景品交換を行う遊技者向けの表示部または交換業務を行う係員向けの表示部のうち少なくともいずれか一方に、前記取得手段によって取得された台識別データ及び持ち遊技媒体データを表示させる表示制御手段と
を備えたことを特徴とする景品管理装置。
【請求項９】
各遊技台に対応して配設される各台対応装置によって遊技媒体の計数値と該計数値の払戻し数もしくはこれらの差分値である持ち遊技媒体数のいずれかが持ち遊技媒体データとして関連付けられた記録媒体に基づいて景品の交換制御を行う景品管理装置であって、
前記遊技台またはその周辺を撮像する撮像装置の撮像制御を行う撮像制御装置に格納される撮像画像に紐付けられた画像紐付けデータが前記各台対応装置によって関連付けられた記録媒体から、当該画像紐付けデータを取得する関連付けデータ取得手段と、
前記関連付けデータ取得手段によって取得された画像紐付けデータに対応する撮像画像を前記撮像制御装置に問い合わせる問合せ手段と、
景品交換を行う遊技者向けの表示部または交換業務を行う係員向けの表示部のうち少なくともいずれか一方に、前記問合せ手段による問合せ結果として得られた撮像画像を表示させる表示制御手段と
を備えたことを特徴とする景品管理装置。
【発明の詳細な説明】
【技術分野】
【０００１】
本発明は、各遊技台に対応して配設され、当該遊技台における遊技結果として計数した遊技媒体の計数値と該計数値の払戻し数もしくはこれらの差分値である持ち遊技媒体数のいずれかを持ち遊技媒体データとして記録媒体に関連付けて発行する各台対応装置と、記録媒体に関連付けられた持ち遊技媒体データから交換景品相当の遊技媒体数を減算する交換制御を行う景品管理装置とを有する各台計数システム及び景品管理装置に関する。
【背景技術】
【０００２】
従来より、パチンコ遊技及びパチスロ遊技を提供する遊技店においては、遊技客によって遊技台で獲得されたパチンコ玉やメダル等の遊技媒体を遊技店の係員が運搬し、島端に設けられた計数機で計数している。
【０００３】
例えば、特許文献１には、計数機から計数時に出力される動作信号に基づいて計数機周辺を撮像可能に設置された撮像装置にコマ画像を撮像させ、該撮像されたコマ画像を景品交換用の計数値記録媒体に記録された識別情報に対応付けて蓄積しておき、景品カウンタに設けられる景品精算装置によって計数値記録媒体の識別情報が読み取られた場合に、当該識別情報に対応付けて蓄積したコマ画像を景品精算装置に付設のモニタ装置に再生させる遊技場の監視装置が開示されている。
【０００４】
すなわち、かかる監視装置では、他店もしくは偽造の玉やメダルを欺いて投入したり、計数センサを不正にカウントアップさせたりなどの計数ゴトが計数機に対して行われていないか否かの監視をコマ画像の再生を通じて行わせるものである。
【０００５】
さらに、島端計数を行う際には、計数ゴトの他、体感器等を用いた遊技台でのゴト行為等の不正を防止する観点から、遊技店の係員に遊技媒体の獲得元の台番号を計数時に入力させることでホールコンピュータに収集されたアウトとセーフの差玉を確認したり、インカム等の伝達手段を通じて差玉との確認を行ったりもしている。
【０００６】
ところで、最近では、島端の計数機での計数を不要化する観点から、遊技結果として投出された賞遊技媒体を各遊技台に付設される各台計数機で計数し、その計数結果を持ち遊技媒体として台間機等で記憶管理しておき、この持ち遊技媒体の範囲内で再貸出しを行う各台計数システムを導入する遊技店が散見される。
【０００７】
具体的には、台間機は、遊技台の上皿および下皿における貯留容量を超えた遊技媒体を遊技台下部に設けられた各台計数機に投入させてその投入玉数を計数させ、該計数結果を累積記憶しておき、遊技客が離席を意図してカード返却操作を行った場合に、累積記憶した計数遊技媒体数を台間機に接続される上位装置に通知するとともに、当該計数遊技媒体数を遊技用記録媒体に関連付けている。
【０００８】
このような各台計数システムにおいては、遊技用記録媒体に従前から関連付けられていた有価価値に加えて、各台計数機で計数された持ち遊技媒体が遊技用記録媒体に記録された識別情報に紐付けて貸出処理機に通信接続される上位装置で管理される。
【０００９】
【特許文献１】特許第３６９３１８５号公報
【発明の開示】
【発明が解決しようとする課題】
【００１０】
しかしながら、遊技客が各台計数方式を導入している場合には、上記の計数ゴトを防止することができないという問題がある。
【００１１】
すなわち、各台計数方式を導入する遊技店の場合は、従前の島端計数の場合とは異なり、各台計数機で遊技媒体の計数が断続的に繰り返し行われるため、従業員に計数の立会いを行わせるのは困難である。
【００１２】
このため、遊技客が遊技台で貯留容量を超える遊技媒体を獲得した場合には、遊技客自身の手によって遊技媒体が計数されることになり、従業員の監視の目が行き届かなくなる結果、上記の計数ゴトを看過してしまうことになる。
【００１３】
そして、上述した特許文献１は、あくまで島端計数を前提とする監視装置であるため、各台計数には対応することができず、このような構成の下、景品精算装置のモニタ装置に各台計数時のコマ画像を表示させるすべはない。
【００１４】
また、遊技店が各台計数方式を導入している場合には、持ち遊技媒体がデータ管理されるので持ち遊技媒体の持ち運びが簡便になる反面で、持ち遊技媒体が関連付けられた遊技用記録媒体の窃盗行為も容易になってしまうため、遊技用記録媒体の盗難件数が増加してしまうという問題もある。
【００１５】
すなわち、島端計数方式を導入する遊技店で窃盗を行おうとした場合には、遊技媒体が格納された玉箱をその所有者に気付かれないように運搬せねばならず、玉箱自体が重い上に運搬しようとする玉箱の数が多ければ多いほどその労力は図りしれなく、持ち遊技媒体の窃盗は困難である。
【００１６】
その一方、各台計数方式を導入する遊技店で窃盗を行おうとした場合には、玉箱何十個分の持ち遊技媒体があろうとも台間機内に保持される遊技用記録媒体を抜き取るだけでよく、窃盗現場をおさえることが困難な上、遊技用記録媒体が不特定多数の人物に使用させる性質のものであることから、奪取された後にはその遊技用記録媒体が窃盗されたものであると看破することはできない。
【００１７】
そして、上述した特許文献１は、島端計数の計数段階での計数ゴトを監視するものであり、台間機での遊技段階の画像を撮像し得るものではなく、遊技用記録媒体の窃盗現場を押さえることができないため、遊技用記録媒体の盗難防止に寄与することはできない。
【００１８】
これらのことから、遊技店が各台計数方式を導入する場合に、遊技用記録媒体の盗難並びに計数ゴトをいかにして抑止するかが重要な課題となっている。
【００１９】
そこで、本発明は、上述した従来技術による課題（問題点）を解消するためになされたものであり、遊技用記録媒体の盗難並びに計数ゴトを抑止することができる各台計数システム及び景品管理装置を提供することを目的とする。
【課題を解決するための手段】
【００２０】
上述した課題を解決し、目的を達成するために、本発明に係る各台計数システムは、各遊技台に対応して配設され、当該遊技台における遊技結果として計数した遊技媒体の計数値と該計数値の払戻し数もしくはこれらの差分値である持ち遊技媒体数のいずれかを持ち遊技媒体データとして記録媒体に関連付けて発行する各台対応装置と、前記記録媒体に関連付けられた持ち遊技媒体データから交換景品相当の遊技媒体数を減算する交換制御を行う景品管理装置とを有する各台計数システムであって、前記各台対応装置は、当該各台対応装置に対応する遊技台の台識別子を示す台識別データ及び前記持ち遊技媒体データを前記記録媒体に関連付ける関連付け手段を備え、前記景品管理装置は、前記関連付け手段によって前記記録媒体に関連付けられた台識別データ及び持ち遊技媒体データを取得する取得手段と、景品交換を行う遊技者向けの表示部または交換業務を行う係員向けの表示部のうち少なくともいずれか一方に、前記取得手段によって取得された台識別データ及び持ち遊技媒体データを表示させる表示制御手段とを備えたことを特徴とする。
【００２１】
また、本発明に係る各台計数システムは、上記の発明において、前記関連付け手段は、他の各台対応装置によって既に前記記録媒体に関連付けられている台識別データ及び持ち遊技媒体データとともに、当該各台対応装置に対応する台識別データ及び持ち遊技媒体データを前記記録媒体に関連付け、前記取得手段は、前記関連付け手段によって前記記録媒体に関連付けられた全ての台識別データ及び持ち遊技媒体データを取得することを特徴とする。
【００２２】
また、本発明に係る各台計数システムは、上記の発明において、前記関連付け手段は、他の各台対応装置によって既に前記記録媒体に関連付けられている台識別データ及び持ち遊技媒体データを無効化するとともに、当該各台対応装置に対応する台識別データ及び持ち遊技媒体データを前記記録媒体に関連付けることを特徴とする。
【００２３】
また、本発明に係る各台計数システムは、上記の発明において、各遊技台の台データを収集する台データ管理装置を備え、前記台データ管理装置は、各遊技台の台識別データに対応付けて、当該遊技台による遊技媒体の払出し数と当該遊技台への遊技媒体の打込み数もしくは前記払出し数と前記打込み数との差分値である差遊技媒体数を台データとして記憶する台データ記憶手段を備え、前記景品管理装置は、前記取得手段によって取得された台識別データに対応する台データを前記台データ管理装置に問い合わせる台データ問合せ手段と、前記台データ問合せ手段による問合せ結果から得られた差遊技媒体数と、前記取得手段による取得結果から得られた持ち遊技媒体数とのずれが許容範囲内であるか否かを判定する判定手段とを備えたことを特徴とする。
【００２４】
また、本発明に係る各台計数システムは、上記の発明において、前記台データ管理装置は、各遊技台の台識別データごとに当該遊技台に関する機種データを記憶する機種データ記憶手段をさらに備え、前記景品管理装置は、前記取得手段によって取得された台識別データに対応する機種データを前記台データ管理装置に問い合わせる機種データ問合せ手段をさらに備え、前記表示制御手段は、前記機種データ問合せ手段による問合せ結果として得られた機種データを表示させることを特徴とする。
【００２５】
また、本発明に係る各台計数システムは、各遊技台に対応して配設され、当該遊技台における遊技結果として計数した遊技媒体の計数値と該計数値の払戻し数もしくはこれらの差分値である持ち遊技媒体数のいずれかを持ち遊技媒体データとして記録媒体に関連付けて発行する各台対応装置と、前記遊技台またはその周辺を撮像する撮像装置の撮像制御を行う撮像制御装置と、前記記録媒体に関連付けられた持ち遊技媒体データから交換景品相当の遊技媒体数を減算する交換制御を行う景品管理装置とを有する各台計数システムであって、前記各台対応装置は、当該各台対応装置に対する遊技者の所定の操作が検知された場合に、当該操作の受付を前記撮像制御装置に通知する操作受付通知手段と、前記撮像装置によって撮像された撮像画像に紐付けられる画像紐付けデータを取得する画像紐付けデータ取得手段と、前記画像紐付けデータ取得手段によって取得された画像紐付けデータを前記記録媒体に関連付ける関連付け手段とを備え、前記撮像制御装置は、前記操作受付通知手段によって前記操作の受付が通知されたタイミングで前記撮像装置に撮像させた撮像画像を取得する撮像画像取得手段と、前記撮像画像取得手段によって取得された撮像画像を所定の画像紐付けデータに紐付ける紐付け手段と、前記撮像装置による撮像画像を記憶する撮像画像記憶手段に対して、前記紐付け手段によって紐付けられた画像紐付けデータに対応付けて前記撮像画像取得手段によって取得された撮像画像を格納する撮像画像格納手段とを備え、前記景品管理装置は、前記関連付け手段によって前記記録媒体に関連付けられた画像紐付けデータを取得する関連付けデータ取得手段と、前記関連付けデータ取得手段によって取得された画像紐付けデータに対応する撮像画像を前記撮像制御装置に問い合わせる問合せ手段と、景品交換を行う遊技者向けの表示部または交換業務を行う係員向けの表示部のうち少なくともいずれか一方に、前記問合せ手段による問合せ結果として得られた撮像画像を表示させる表示制御手段とを備えたことを特徴とする。
【００２６】
また、本発明に係る各台計数システムは、上記の発明において、前記景品管理装置は、前記景品交換を行う遊技者を撮像する撮像手段と、前記撮像手段によって撮像された遊技者の撮像画像と、前記問合せ手段による問合せ結果として得られた撮像画像とを用いて、当該景品交換を行う遊技者が前記持ち遊技媒体数を保有する遊技者本人であるか否かを認証する本人認証手段とをさらに備えたことを特徴とする。
【００２７】
また、本発明に係る景品管理装置は、各遊技台に対応して配設される各台対応装置によって遊技媒体の計数値と該計数値の払戻し数もしくはこれらの差分値である持ち遊技媒体数のいずれかが持ち遊技媒体データとして関連付けられた記録媒体に基づいて景品の交換制御を行う景品管理装置であって、前記各台対応装置によって遊技台の台識別子を示す台識別データ及び前記持ち遊技媒体データが関連付けられた記録媒体から台識別データ及び持ち遊技媒体データを取得する取得手段と、景品交換を行う遊技者向けの表示部または交換業務を行う係員向けの表示部のうち少なくともいずれか一方に、前記取得手段によって取得された台識別データ及び持ち遊技媒体データを表示させる表示制御手段とを備えたことを特徴とする。
【００２８】
また、本発明に係る景品管理装置は、各遊技台に対応して配設される各台対応装置によって遊技媒体の計数値と該計数値の払戻し数もしくはこれらの差分値である持ち遊技媒体数のいずれかが持ち遊技媒体データとして関連付けられた記録媒体に基づいて景品の交換制御を行う景品管理装置であって、前記遊技台またはその周辺を撮像する撮像装置の撮像制御を行う撮像制御装置に格納される撮像画像に紐付けられた画像紐付けデータが前記各台対応装置によって関連付けられた記録媒体から、当該画像紐付けデータを取得する関連付けデータ取得手段と、前記関連付けデータ取得手段によって取得された画像紐付けデータに対応する撮像画像を前記撮像制御装置に問い合わせる問合せ手段と、景品交換を行う遊技者向けの表示部または交換業務を行う係員向けの表示部のうち少なくともいずれか一方に、前記問合せ手段による問合せ結果として得られた撮像画像を表示させる表示制御手段とを備えたことを特徴とする。
【発明の効果】
【００２９】
本発明によれば、各台対応装置が、当該各台対応装置に対応する遊技台の台識別子を示す台識別データ及び持ち遊技媒体データを記録媒体に関連付け、景品管理装置が、記録媒体に関連付けられた台識別データ及び持ち遊技媒体データを取得し、景品交換を行う遊技者向けの表示部または交換業務を行う係員向けの表示部のうち少なくともいずれか一方に、取得した台識別データ及び持ち遊技媒体データを表示させるように構成したので、店側は記録媒体の盗難や計数ゴトを監視でき、かつ、これらの不正行為が店側に監視されていることを客側に認識させることができ、記録媒体の盗難や計数ゴトを抑止することが可能になるという効果を奏する。
【００３０】
また、本発明によれば、他の各台対応装置によって既に記録媒体に関連付けられている台識別データ及び持ち遊技媒体データとともに、当該各台対応装置に対応する台識別データ及び持ち遊技媒体データを記録媒体に関連付け、記録媒体に関連付けられた全ての台識別データ及び持ち遊技媒体データを取得するように構成したので、遊技客によって台移動が行われたとしても遊技内容の遷移を店側及び客側に知らしめることができ、店側は記録媒体の盗難や計数ゴトをより詳細に監視でき、かつ、これらの不正行為が店側に監視されていることを客側により強く認識させることが可能になるという効果を奏する。
【００３１】
また、本発明によれば、他の各台対応装置によって既に記録媒体に関連付けられている台識別データ及び持ち遊技媒体データを無効化するとともに、当該各台対応装置に対応する台識別データ及び持ち遊技媒体データを記録媒体に関連付けるように構成したので、景品管理装置が配設される景品カウンタにおいて常に最新の持ち遊技媒体データ及び台番号データを表示させるとともに、上位装置に記憶させるデータを少データ化することが可能になるという効果を奏する。
【００３２】
また、本発明によれば、台データ管理装置が、各遊技台の台識別データに対応付けて、当該遊技台による遊技媒体の払出し数と当該遊技台への遊技媒体の打込み数もしくは払出し数と打込み数との差分値である差遊技媒体数を台データとして記憶しておき、景品管理装置が、取得した台識別データに対応する台データを台データ管理装置に問い合わせ、問合せ結果から得られた差遊技媒体数と、取得結果から得られた持ち遊技媒体数とのずれが許容範囲内であるか否かを判定するように構成したので、記録媒体に関連付けられた台番号データを用いて持ち遊技媒体数と遊技台における実際の差遊技媒体数とを検証することができ、景品カウンタで計数ゴトを自動的に検知することが可能になるという効果を奏する。
【００３３】
また、本発明によれば、台データ管理装置が、各遊技台の台識別データごとに当該遊技台に関する機種データを記憶しておき、景品管理装置が、取得した台識別データに対応する機種データを台データ管理装置に問い合わせ、問合せ結果として得られた機種データを表示させるように構成したので、遊技台もしくは複数の遊技台ごとに異なる機種名等の台データが提示されることになり、店側によって遊技内容がより詳細に監視されていることを客側に認識させる結果、記録媒体の盗難や計数ゴトをより効果的に抑止することが可能になるという効果を奏する。
【００３４】
また、本発明によれば、各台対応装置が、当該各台対応装置に対する遊技者の所定の操作が検知された場合に、当該操作の受付を撮像制御装置に通知し、撮像画像に紐付けられる画像紐付けデータを取得し、取得した画像紐付けデータを記録媒体に関連付け、撮像制御装置が、操作の受付が通知されたタイミングで撮像装置に撮像させた撮像画像を取得し、取得した撮像画像を所定の画像紐付けデータに紐付け、紐付けた画像紐付けデータに対応付けて取得した撮像画像を格納し、景品管理装置が、記録媒体に関連付けられた画像紐付けデータを取得し、取得した画像紐付けデータに対応する撮像画像を撮像制御装置に問い合わせ、景品交換を行う遊技者向けの表示部または交換業務を行う係員向けの表示部のうち少なくともいずれか一方に、問合せ結果として得られた撮像画像を表示させるように構成したので、店側は計数ゴトや記録媒体の盗難を監視でき、かつ、これらの不正行為が店側に監視されていることを客側に認識させることができ、記録媒体の盗難や計数ゴトを抑止することが可能になるという効果を奏する。
【００３５】
また、本発明によれば、景品管理装置が、景品交換を行う遊技者を撮像し、撮像した遊技者の撮像画像と、問合せ結果として得られた撮像画像とを用いて、当該景品交換を行う遊技者が持ち遊技媒体数を保有する遊技者本人であるか否かを認証するように構成したので、景品管理装置が配設される景品カウンタで記録媒体の盗難を自動的に検知することができ、退店前に不正者を取り押さえることが可能になるという効果を奏する。
【発明を実施するための最良の形態】
【００３６】
以下に添付図面を参照して、本発明に係る各台計数システム及び景品管理装置の好適な実施例を詳細に説明する。なお、以下では、本発明をパチンコ遊技を提供する各台計数システムに適用する場合について説明することとする。
【実施例１】
【００３７】
まず、本実施例に係る各台計数システムのシステム構成について説明する。図１は、実施例１に係る各台計数システムのシステム構成図である。同図に示すように、この各台計数システム１には、持ち玉管理装置１０と、残度数管理装置１５と、島コントローラ２０と、計数機能付きＣＲユニット３０（以下、単にＣＲユニットと言う）と、パチンコ機４０と、景品管理装置５０と、景品払出機６０とが設けられている。
【００３８】
島コントローラ２０は、周囲を通路に囲まれたスペース（遊技島）に設けられた一群のＣＲユニット３０及びパチンコ機４０を束ねる中継装置である。
【００３９】
ＣＲユニット３０は、遊技店内の各パチンコ機４０に併設されるカード処理ユニットであり、本実施例では、パチンコ機４０の下皿から投入されるパチンコ玉を計数する計数機能をさらに有する。具体的には、自装置が接続されたパチンコ機４０で遊技者が獲得したパチンコ玉の玉数を計数したうえでその計数値と該計数値の払戻し数もしくはこれらの差分値である持ち玉数の少なくとも一方（本実施例では、両方とする）を持ち玉データとしてプリペイドカードに関連付け、持ち玉データが関連付けられたプリペイドカードを発行する。なお、ＣＲユニット３０は、従来と同様、プリペイドカードに価値付けられたプリペイド残度数を用いた玉貸しも行う。従って、１枚のプリペイドカードには、持ち玉とプリペイド残度数の２つの遊技価値情報が関連付けられる。
【００４０】
パチンコ機４０は、パチンコ玉を遊技領域に発射して遊技者がパチンコ遊技を行う装置であり、本実施例では、プリペイドカード対応のいわゆるＣＲパチンコ機であるものとしている。
【００４１】
景品管理装置５０は、遊技店内の景品交換カウンタに配設された景品交換用の端末装置であり、後述する交換玉数管理テーブル５６ａを用いて持ち玉と景品との交換を管理する。この交換玉数管理テーブル５６ａは、景品ごとにその景品との交換に要する交換玉数を対応付けて記憶している。そして、景品交換カウンタ内の従業員が、ＣＲユニット３０により発行されたプリペイドカードを遊技客から受け取ると、このプリペイドカードのカードリーダへの読取操作を通じて持ち玉データを取得するとともに、遊技客により指定された景品に対応する交換ボタンを押下し、当該景品に相当する交換玉数を持ち玉数から減算する交換制御を実行させ、その後に従業員による手作業で遊技客に受け渡す。また、遊技客が特殊景品への交換を希望する場合には、従業員はこの景品管理装置５０に設けられた特殊景品交換ボタンを押下し、交換玉数管理テーブル５６ａを参照して持ち玉数に応じた特殊景品の払い出しを景品払出機６０に指示する。
【００４２】
持ち玉管理装置１０は、図示しない持ち玉管理テーブルを用いて、プリペイドカードに関連付けられた持ち玉を管理する管理装置である。この残度数管理テーブルは、プリペイドカードの識別情報（以下、プリペイドカードＩＤと言う）、持ち玉数を対応付けて記憶している。例えば、ＣＲユニット３０から持ち玉の加算依頼を受け付けた場合には、当該更新依頼に含まれるプリペイドカードＩＤに対応する持ち玉数に計数値などの加算依頼玉数を加算更新し、また、ＣＲユニット３０又は景品管理装置５０から持ち玉の減算依頼（持ち玉返却依頼）を受け付けた場合には、当該更新依頼に含まれるプリペイドカードＩＤに対応する持ち玉数から持ち玉返却の単位玉数もしくは交換対価等の減算依頼玉数を減算更新する。
【００４３】
残度数管理装置１５は、図示しない残度数管理テーブルを用いて、プリペイドカードに関連付けられた残度数を管理する管理装置である。この残度数管理テーブルは、プリペイドカードＩＤ、プリペイド残度数を対応付けて記憶している。例えば、ＣＲユニット４０からプリペイド残度数の加算依頼（価値付け依頼）を受け付けた場合には、当該更新依頼に含まれるプリペイドカードＩＤに対応する残度数に挿入紙幣金額などの価値付け依頼金額を加算更新し、また、プリペイド残度数の減算依頼を受け付けた場合には、当該更新依頼に含まれるプリペイドカードＩＤに対応する残度数から玉貸しの貸出単位金額等の減算依頼金額を減算更新する。
【００４４】
ここで、各台計数システム１は、ＣＲユニット３０に当該ＣＲユニット３０に対応するパチンコ機４０の台番号を示す台番号データ及び持ち玉データをプリペイドカードに関連付けさせ、景品管理装置５０にプリペイドカードに関連付けられた台番号データ及び持ち玉データを取得させ、取得した台番号データ及び持ち玉データを係員向けの表示部及び遊技者向けの表示部に表示させる点にその特徴がある。
【００４５】
すなわち、従来の島端計数機では、計数を行う際にその玉がどの遊技台の出玉であるのかをシステム側で把握できなかったため、計数時に台番号を入力したり、玉箱にタグを付けるなどの措置を取って獲得玉の由来を特定しようとしていた。
【００４６】
しかしながら、このような措置を取ったとしても、遊技客が遊技していた台を偽証したり、遊技している台とは別の遊技台の玉箱に獲得玉を貯留させるなどの不正行為が行われると獲得玉の由来が容易に偽られてしまう。
【００４７】
このため、計数ゴトを通じて持ち玉が関連付けられたプリペイドカードや盗難のプリペイドカードが景品カウンタに持ち込まれた場合に、これらの不正行為を看破するすべがなく、景品交換が行われる問題がある。
【００４８】
そこで、本実施例では、各台計数機であるＣＲユニット３０を予め台番号と紐付けておき、プリペイドカードに持ち玉を関連付けるに際して台番号を関連付け、該プリペイドカードに関連付けられた台番号を景品管理装置５０で表示させることとした。
【００４９】
例えば、図２に示すように、係員向けの表示部には、プリペイドカードに関連付けられた台番号、計数玉数、払戻し玉数及び持ち玉数を交換画面に表示させる。このような表示により、たとえば図示しないホールコンピュータで収集管理される２３０番台の出玉を閲覧して計数玉数「２９７４３個」又は持ち玉「２５２４３個」が過度に多くないか、計数玉数「２９７４３個」、払戻し数「４５００個」及び持ち玉数「２５２４３個」の３者の整合性が取れているか、さらには、２３０番台の遊技台でプリペイドカードの盗難にあって困っている遊技客がいないかどうかを監視することができる。なお、本実施例では、持ち玉データとして計数値、払戻し数および持ち玉数をプリペイドカードに関連付ける例を説明したが、計数値と払戻し数もしくは持ち玉数のいずれか一方のみを関連付けることとしてもよい。
【００５０】
また、図３に示すように、遊技者向けの表示部においてもプリペイドカードに関連付けられた台番号、計数玉数、払戻し玉数及び持ち玉数を景品交換に先立って表示させる。このような表示により、遊技客が２３０番台で２９７４３個を計数してその内４５００個を払戻し、結果として２５２４３個の持ち玉を獲得したという遊技内容を微細にわたって把握させるとともに、係員により上記の監視が行われていることを遊技客に意識付けすることができる。
【００５１】
このように、本実施例では、持ち玉の由来となる台番号を正確にプリペイドカードに関連付け、景品交換時にその台番号を遊技店の係員及び遊技客に表示させるので、店側は計数ゴトやカード盗難を監視でき、かつ、これらの不正行為が店側に監視されていることを客側に認識させることができる。この結果、カード盗難や計数ゴトを抑止することが可能となる。
【００５２】
続いて、本実施例に係る各台計数システムを構成する各装置の構成を説明する。なお、ここでは、ＣＲユニット３０の構成を説明してから景品管理装置５０の構成を説明する。
【００５３】
前述したように、ここでは、本実施例に係るＣＲユニットの外観構成及び内部構成について説明する。図４は、実施例１に係るＣＲユニットの外観を示した正面図である。なお、この図４には、ＣＲユニット３０が併設されたパチンコ機４０を破線で示している。
【００５４】
図４に示すように、ＣＲユニット３０は、係員の呼び出し時などに点灯する状態表示部３０１と、玉貸しのための各種紙幣を受け付ける紙幣挿入部３０２と、持ち玉の返却（払戻し）要求を受け付ける持玉返却ボタン３０３と、液晶パネルやディスプレイなどの表示デバイス上で操作入力を受け付けることができる表示可能かつ入力可能なタッチパネル３０４と、持ち玉を払い出すノズルを備えた持ち玉払出部３０５と、プリペイドカード等のカード類の受付／返却を行うカード挿入部３０６と、持ち玉（獲得玉）を計数する計数部３５と、持ち玉（獲得玉）を貯留する玉貯留部３０７とを有する。
【００５５】
また、パチンコ機４０には、パチンコ遊技に使用するパチンコ玉を貯留する上皿４１０と、上皿４１０の許容容量を超えて溢れたパチンコ玉を貯留する下皿４２０とが設けられており、この上皿４１０には、プリペイドカードの残度数等を表示する７ＳＥＧ表示部４１１と、玉貸し要求を受け付ける玉貸しボタン４１２と、プリペイドカードの返却要求を受け付ける返却ボタン４１３とがさらに設けられている。なお、本実施例では、玉貸しボタン４１２及び返却ボタン４１３をパチンコ機４０に設けることとしたが、必ずしもパチンコ機４０側に設ける必要はなく、ＣＲユニット３０に設けることとしてもよい。
【００５６】
パチンコ玉を借り受ける際には、遊技客がパチンコ機４０側の玉貸しボタン４１２を押下操作すると、玉貸し操作信号がＣＲユニット３０に転送されてＣＲユニット３０側で玉貸し操作が受け付けられる。このとき、プリペイド残度数が存在する場合には、ＣＲユニット３０からパチンコ機４０に玉投出指示が行われて貸し玉が上皿４１０に投出されることになる。
【００５７】
また、持ち玉が計数される際には、パチンコ機４０の下皿４２０から獲得玉を玉貯留部３０７に投入すると、その投入玉が計数部３５に誘導されて獲得玉の数量が計数される。そして、遊技者が持玉返却ボタン３０３を押下すると、後述する記憶部３７によって持ち玉（獲得玉）として記憶管理されている玉数の範囲内であれば、持ち玉が持ち玉払出部３０５経由でパチンコ機４０の上皿４１０に投出される。
【００５８】
図５は、実施例１に係るＣＲユニットの内部構成を示す機能ブロック図である。なお、実際のＣＲユニット３０では、図示した機能部以外の機能部（例えば、ビルバリユニットなど）を有するが、図５では、実施例１に係るＣＲユニット３０の特徴を説明するために必要な構成要素のみを抜粋している。
【００５９】
図３に示すように、このＣＲユニット３０は、操作部３１と、表示部３２と、通信Ｉ／Ｆ部３３ａと、遊技機用通信Ｉ／Ｆ部３３ｂと、カード処理部３４と、計数部３５と、持ち玉払出し部３６と、記憶部３７と、制御部３８とを有する。
【００６０】
操作部３１は、図４に示した持玉返却ボタン３０３やタッチパネル３０４などの各種ボタン群の総称であり、表示部３２は、図４に示した状態表示部３０１やタッチパネル３０４などの総称である。
【００６１】
通信Ｉ／Ｆ部３３ａは、持ち玉管理装置１０、残度数管理装置１５及び島コントローラ２０などの他の装置の間で各種通信を行うためのインターフェースである。
【００６２】
遊技機用通信Ｉ／Ｆ部３３ｂは、当該ＣＲユニット３０に併設されるパチンコ機４０との間で各種通信（例えば、玉貸し要求や玉投出指示など）を行うためのインターフェースである。
【００６３】
カード処理部３４は、カード挿入部３０６から挿入された各種カードを取り扱う処理部である。具体的には、プリペイドカードや会員カードなどの各種カードに記録された情報を読み込んだり、また、これらのカードに情報を書き込んだりする。
【００６４】
計数部３５は、ペアとなるパチンコ機４０の下皿４２０から投入された獲得玉を計数する処理部であり、図示しない持ち玉を計数する計数センサを内在する。具体的には、この計数センサが玉貯留部３０７から導入した獲得玉の通過経路の近傍に設けられており、この通過経路に赤外線等の発光及びその反射光の受光を併せて行うことで獲得玉の通過を検知し、これらの通過数を後述する持ち玉更新部３８ａにカウントアップさせる。
【００６５】
持ち玉払出し部３６は、持ち玉の投出制御を行う処理部である。具体的には、後述する持ち玉更新部３８ａから払出し数を含む玉払出し指示が行われると、当該払出し数分のパチンコ玉を持ち玉払出部３０５を介してパチンコ機４０の上皿４１０に投出する。
【００６６】
記憶部３７は、制御部３８による各種処理に必要なデータおよびプログラムを記憶する不揮発性メモリ等の記憶デバイスであり、例えば、計数部３５による計数値、その払戻し数及び持ち玉数を示す持ち玉データ３７ａと、ペアとなるパチンコ機４０の台番号を示す台番号データ３７ｂとを併せて記憶する。
【００６７】
制御部３８は、ＣＲユニット３０を全体制御する制御部であり、持ち玉更新部３８ａと、残度数更新部３８ｂと、玉貸し処理部３８ｃと、関連付け部３８ｄとを有する。実際には、これらの機能部に対応するプログラムを図示しないＲＯＭや不揮発性メモリに記憶しておき、これらのプログラムをＣＰＵにロードして実行し、持ち玉更新部３８ａ、残度数更新部３８ｂ、玉貸し処理部３８ｃ及び関連付け部３８ｄにそれぞれ対応するプロセスを実行させることになる。
【００６８】
持ち玉更新部３８ａは、記憶部３７に記憶された持ち玉データ３７ａの更新を行う処理部である。具体的には、計数部３５からの計数センサ出力が得られた場合に、そのセンサ出力をカウントアップし、記憶部３７に持ち玉データ３７ａとして記憶された計数値にカウントアップした値を加算する更新を行う。また、持玉返却ボタン３０３の押下操作を受け付けた場合に、記憶部３７に持ち玉データ３７ａとして記憶された払戻し数に今処理の払出し玉数を加算する更新を行うとともに、当該払出し玉数分のパチンコ玉を払い出すように持ち玉払出し部３６に指示する。なお、これらの計数値もしくは払戻し数のいずれかの更新を行う際には、計数値から払い戻し数を減算して持ち玉数を算出し、該算出した持ち玉数を記憶部３７内の持ち玉データ３７ａに上書きする更新を併せて行う。
【００６９】
残度数更新部３８ｂは、プリペイドカードの残度数の加算または減算を残度数管理装置１５に依頼する処理部である。具体的には、玉貸しボタン４１２の押下操作（玉貸し操作）を受け付けた場合に、たとえば５度数などの貸出単位度数の減算依頼を残度数管理装置１５に行う。なお、紙幣の価値付け依頼（加算依頼）は、既存のものと同様に特に制限なく、紙幣挿入部３０２への紙幣の挿入に応答して行われる。
【００７０】
玉貸し処理部３８ｃは、残度数更新部３８ｂによってプリペイド残度数が減算された場合に、パチンコ機４０に玉投出指示を行う処理部である。具体的には、遊技機用通信Ｉ／Ｆ部３３ｂとパチンコ機４０内の通信Ｉ／Ｆ部（図示せず）との両者の間でＣＲユニット３０による１度の玉投出指示で所定数（例えば、１玉４円で玉貸しを行う場合は２５個＝１度数（１００円））のパチンコ玉をパチンコ機４０が投出するという規定が設定されており、挿入中のプリペイドカードの残度数から貸出単位度数が減算されると、当該度数に相当する回数の玉投出指示をパチンコ機４０に行い、パチンコ機４０に貸出単位度数分のパチンコ玉（この例では、５度数分の１２５個）を投出させる。
【００７１】
関連付け部３８ｄは、当該ＣＲユニット３０に対応するパチンコ機４０の台番号を示す台番号データ及び持ち玉データをプリペイドカードに関連付ける処理部である。詳細は図７を用いて後述するが、概要としては、プリペイドカードの返却操作を受け付けた際に、少なくとも記憶部３７によって持ち玉データ３７ａとして記憶された持ち玉がゼロ以上であるならば、記憶部３７内に記憶された持ち玉データ３７ａ及び台番号データ３７ｂを発行対象とするプリペイドカードのＩＤに対応付けて登録するように持ち玉管理装置１０に依頼する。
【００７２】
ここで、かかる関連付け依頼を受け付けた持ち玉管理装置１０では、関連付け依頼に含まれるプリペイドカードＩＤに対応付けて持ち玉データ及び台番号データを持ち玉管理テーブルに登録するに際して上書き更新を行う。
【００７３】
すなわち、遊技客の台移動等により持ち玉管理テーブルに持ち玉データ及び台番号データが既に登録されていたとしても、今処理で受け付けた持ち玉データ及び台番号データを既登録データに上書きすることで、景品管理装置５０が配設される景品カウンタにおいて常に最新の持ち玉データ及び台番号を表示させるとともに、持ち玉管理装置に記憶させるデータを少データ化することができるようにしている。
【００７４】
なお、本実施例では、プリペイド残度数については、ＣＲユニット３０および残度数管理装置１５の間で常に同期を取りつつ最新の残度数を両者によって管理する一方で、持ち玉データについては、プリペイドカードの返却が行われるまではＣＲユニット３０内で持ち玉データをローカルに管理し、プリペイドカードの返却時に持ち玉データをプリペイドカードＩＤに対応付けて持ち玉管理装置１０に通知することとしている。
【００７５】
このため、本実施例では、カード返却に合わせて持ち玉データ及び台番号データを関連付けることとしたが、必ずしも台番号データの関連付けをカード返却時に行う必要はなく、プリペイド残度数もしくは持ち玉数が発生してカード返却が必要となってからカードが返却されるまでの任意のタイミングで台番号データの関連付けを行うことができる。また、持ち玉データの関連付けについてもカード返却時に限定して行う必要はなく、持ち玉データを更新するタイミングや所定の周期（例えば、１分間隔）等に合わせて随時行うこともできる。
【００７６】
次に、本実施例に係る景品管理装置の構成について説明する。図６は、実施例１に係る景品管理装置の構成を示す機能ブロック図である。同図に示すように、景品管理装置５０は、従業員用タッチパネル５１と、遊技客用タッチパネル５２と、通信Ｉ／Ｆ部５３と、印字部５５と、記憶部５６と、制御部５７とを有する。
【００７７】
従業員用タッチパネル５１は、液晶パネルやディスプレイなどの表示デバイス上で操作入力を受け付けることができる表示可能かつ入力可能な従業員用デバイスであり、例えば、プリペイドカードの受付時には、プリペイドカードの読込枚数、総獲得玉数、残数等の交換制御に関係する項目を含んだ交換画面の表示に併せて、プリペイドカードに関連付けられている台番号、計数値、払戻し数及び持ち玉数をポップアップ画面として表示する（図２参照）。
【００７８】
遊技客用タッチパネル５２は、液晶パネルやディスプレイなどの表示デバイス上で操作入力を受け付けることができる表示可能かつ入力可能な遊技客用デバイスであり、従業員用タッチパネル５１と同様の表示を行うことを基本とするが、両者の表示内容は必ずしも内容が同一である必要はなく、例えば、図３に示す表示画面のように、交換業務を行う従業員に表示する画面（図２参照）よりも簡易な情報を表示させるようにしてもよい。
【００７９】
通信Ｉ／Ｆ部５３は、当該景品管理装置５０と他の装置（例えば、持ち玉管理装置１０、残度数管理装置１５及び景品払出機６０などの他の装置）との間で各種通信を行うためのインターフェースである。
【００８０】
カード処理部５４は、挿入された各種カードを取り扱う処理部である。具体的には、プリペイドカードや会員カードなどの各種カードに記録された情報を読み込んだり、また、これらのカードに情報を書き込んだりする。
【００８１】
印字部５５は、印刷データをレシートに印字処理する印字装置であり、例えば、景品管理装置５０にて交換制御が行われた内容（例えば、交換日時、従業員名、総獲得玉数、交換景品及び交換玉数などの項目）を印字して景品交換レシートとして発行したり、また、遊技店の営業終了後には、景品の入出庫管理（例えば、景品出庫による粗益管理）に係る情報を締上げ票として発行したりする。
【００８２】
記憶部５６は、制御部５７による各種処理に必要なデータおよびプログラムを記憶する不揮発性メモリ等の記憶デバイスであり、交換レシート等に印字するフォーマット及びその印字内容等の情報の他、景品との交換に要する交換玉数を管理する交換玉数管理テーブル５６ａとを記憶する。
【００８３】
制御部５７は、景品管理装置５０を全体制御する制御部であり、関連付けデータ取得部５７ａと、表示制御部５７ｂと、交換制御部５７ｃとを有する。実際には、これらの機能部に対応するプログラムを図示しないＲＯＭや不揮発性メモリに記憶しておき、これらのプログラムをＣＰＵにロードして実行し、関連付けデータ取得部５７ａ、表示制御部５７ｂ及び交換制御部５７ｃにそれぞれ対応するプロセスを実行させることになる。
【００８４】
関連付けデータ取得部５７ａは、プリペイドカードに関連付けられた関連付けデータを取得する処理部である。具体的には、カード処理部５４によってプリペイドカードから読み取られたプリペイドカードＩＤに対応する持ち玉データ及び台番号データを持ち玉管理装置１０に問い合わせることによって取得する。
【００８５】
表示制御部５７ｂは、従業員用タッチパネル５１及び遊技客用タッチパネル５２の表示制御を行う処理部である。例えば、従業員用タッチパネル５１には、プリペイドカードの読込枚数、総獲得玉数、残数等の交換制御に関係する項目を含んだ交換画面の表示に併せて、関連付けデータ取得部５７ａによって持ち玉データ及び台番号データとして取得された台番号、計数値、払戻し数及び持ち玉数をポップアップ画面として表示させる一方で（図２参照）、遊技客用タッチパネル５２には、交換業務を行う従業員に表示する画面よりも簡易な情報を表示させる（図３参照）。
【００８６】
交換制御部５７ｃは、交換玉数管理テーブル５６ａを用いて持ち玉（獲得玉）と景品の交換制御を行う処理部である。具体的には、関連付けデータ取得部５７ａによって取得された持ち玉数を総獲得玉数とし、その総獲得玉の残数が最小交換可能玉数（本例では、景品に交換することができる最小の玉数を指す）未満になるまでは、遊技店の従業員から遊技客指定の景品に対応する交換ボタンの押下操作を受け付け、当該景品に相当する交換玉数を持ち玉数から減算する交換制御を行い、持ち玉数が最小交換可能玉数未満になった場合には、交換日時、従業員名、総獲得玉数、交換景品及び交換玉数などの項目が印字された景品交換レシートを発行するように印字部５５に指示する。
【００８７】
次に、本実施例に係る各台計数システムの処理の流れについて詳細に説明する。なお、ここでは、ＣＲユニット３０によって行われる（１）関連付け処理を説明した後に、景品管理装置５０によって行われる（２）景品交換処理を説明する。
【００８８】
（１）関連付け処理
前述したように、ここでは、本実施例に係る関連付け処理について説明する。図７は、実施例１に係る関連付け処理の手順を示すフローチャートである。同図に示すように、返却ボタン４１３の押下操作を受け付けると（ステップＳ１０１肯定）、関連付け部３８ｄは、記憶部３７に記憶された持ち玉データ３７ａを読み出す（ステップＳ１０２）。
【００８９】
ここで、記憶部３７から読み出した持ち玉データ３７ａに持ち玉が存在する場合（ステップＳ１０３肯定）には、関連付け部３８ｄは、記憶部３７に記憶された台番号データ３７ｂをさらに読み出し（ステップＳ１０４）、これら読み出した持ち玉データ及び台番号データを発行対象とするプリペイドカードのＩＤに対応付けて登録するように持ち玉管理装置１０に依頼し（ステップＳ１０５）、持ち玉管理装置１０からの関連付け完了応答（登録完了応答）を受け付けたならば挿入中のプリペイドカードをカード処理部３４に返却させ（ステップＳ１０６）、処理を終了する。
【００９０】
一方、記憶部３７から読み出した持ち玉データ３７ａに持ち玉が存在しない場合（ステップＳ１０３否定）には、関連付け部３８ｄは、残度数更新部３８ｂによって保持される残度数もしくは残度数管理装置１５の残度数管理テーブルに記憶される残度数を取得し（ステップＳ１０７）、プリペイドカードに残度数が存在するか否かを判定する（ステップＳ１０８）。
【００９１】
このとき、プリペイドカードに残度数が存在すれば（ステップＳ１０８肯定）、挿入中のプリペイドカードをカード処理部３４に返却させ（ステップＳ１０６）、処理を終了する。また、プリペイドカードにも残度数が存在しなければ（ステップＳ１０８否定）、カードを排出する必要がないのでそのまま処理を終了する。
【００９２】
（２）景品交換処理
続いて、本実施例に係る景品交換処理について説明する。図８は、実施例１に係る景品交換処理の手順を示すフローチャートである。同図に示すように、プリペイドカードの読取操作を受け付けると（ステップＳ２０１肯定）、関連付けデータ取得部５７ａ及び表示制御部５７ｂによって持ち玉データ及び台番号データの表示制御処理が行われる（ステップＳ２０２）。
【００９３】
ここで、以降の処理に先立って、図９を用いてステップＳ２０２における表示制御処理を具体的に説明する。図９は、実施例１に係る表示制御処理に関する持ち玉管理装置及び景品管理装置間の制御シーケンスを示す図である。
【００９４】
図９に示すように、プリペイドカードの読取操作が行われると、景品管理装置５０のカード処理部５４は、プリペイドカードからプリペイドカードＩＤを読み取る（ステップＳ３０１）。
【００９５】
続いて、景品管理装置５０の関連付けデータ取得部５７ａは、カード処理部５４によってプリペイドカードから読み取られたプリペイドカードＩＤに対応する持ち玉データ及び台番号データを持ち玉管理装置１０に問い合わせる（ステップＳ３０２）。
【００９６】
この問合せを受け付けた持ち玉管理装置１０では、問合せを受けたプリペイドカードＩＤに対応する持ち玉データ及び台番号データを持ち玉管理テーブルから読み出し（ステップＳ３０３）、該読み出した持ち玉データ及び台番号データを景品管理装置５０に応答する（ステップＳ３０４）。
【００９７】
一方、景品管理装置５０の表示制御部５７ｂは、この問合せ応答として得られた台番号データ及び持ち玉データを従業員用タッチパネル５１及び遊技客用タッチパネル５２に表示させ（ステップＳ３０５）、処理を終了する。
【００９８】
このようにして、遊技客が景品カウンタに赴いた際に自身が遊技を行った遊技台の台番号や遊技内容が表示されることになる。
【００９９】
図８の説明に戻り、ステップＳ２０２終了後に、交換制御部５７ｃは、関連付けデータ取得部５７ａによって取得された持ち玉が最小交換可能玉数以上であるか否かを判定する（ステップＳ２０３）。
【０１００】
このとき、持ち玉が最小交換可能玉数以上である場合（ステップＳ２０３肯定）には、交換制御部５７ｃは、従業員用タッチパネル５１又は遊技客用タッチパネル５２に表示される交換ボタンの押下操作を通じて景品の指定を受け付ける（ステップＳ２０４）。なお、持ち玉が最小交換可能玉数を下回る場合（ステップＳ２０３否定）には、後述するステップＳ２０７に移行する。
【０１０１】
続いて、指定を受け付けた景品に要する玉数以上の持ち玉が残っていれば（ステップＳ２０５肯定）、交換制御部５７ｃは、当該景品に相当する交換玉数を持ち玉から減算する（ステップＳ２０６）。
【０１０２】
その後、持ち玉が最小交換可能玉数を下回るまでは（ステップＳ２０３肯定）、交換制御部５７ｃは、上記のステップＳ２０４〜ステップＳ２０６までの処理を繰り返し行う。
【０１０３】
ここで、持ち玉が最小交換可能玉数を下回った場合に景品交換が行われていれば（ステップＳ２０３否定かつステップＳ２０７肯定）、交換制御部５７ｃは、ステップＳ２０６で内部減算しておいた交換対価を挿入中のプリペイドカードの持ち玉数から減算するように持ち玉管理装置１０に依頼し（ステップＳ２０８）、交換日時、従業員名、総獲得玉数、交換景品及び交換玉数などの項目が印字された景品交換レシートを印字部５５に印字させ（ステップＳ２０９）、処理を終了する。
【０１０４】
一方、持ち玉が最小交換可能玉数を下回った場合に景品交換が行われていなければ（ステップＳ２０３否定かつステップＳ２０７否定）、交換制御部５７ｃは、景品交換レシートを発行する必要がないのでそのまま処理を終了する。
【０１０５】
なお、景品交換レシート発行後もしくは景品交換なしのいずれのケースで処理が終了された場合であっても、プリペイドカードに持ち玉もしくは残度数のいずれかの価値高が残っていれば、係員によってプリペイドカードが遊技客に返却される。
【０１０６】
上述してきたように、本実施例に係る各台計数システム１によれば、ＣＲユニット３０に対応するパチンコ機４０の台番号を示す台番号データ及び持ち玉データをプリペイドカードに関連付けるようにＣＲユニット３０を構成し、プリペイドカードに関連付けられた台番号データ及び持ち玉データを取得し、取得した台番号データ及び持ち玉データを従業員用タッチパネル５１及び遊技客用タッチパネル５２に表示させるように景品管理装置５０を構成したので、店側は計数ゴトやカード盗難を監視でき、かつ、これらの不正行為が店側に監視されていることを客側に認識させることができ、カード盗難や計数ゴトを抑止することが可能となる。
【０１０７】
ところで、本実施例では、遊技客の台移動等により持ち玉管理テーブルに持ち玉データ及び台番号データが既に登録されていたとしても、新たに受け付けた持ち玉データ及び台番号データを既登録データに上書き更新する例を説明したが、上書き更新を行わずに台番号ごとの持ち玉データを持ち玉管理装置１０に登録するようにしてもよい。
【０１０８】
すなわち、カード返却時における台番号ごとの計数値及び払戻し数を持ち玉管理装置１０に登録させておけば、遊技客によって台移動が行われたとしても遊技内容の遷移を店側及び客側に知らしめることができ、店側は計数ゴトやカード盗難をより詳細に監視でき、かつ、これらの不正行為が店側に監視されていることを客側により強く認識させることが可能になる。
【０１０９】
なお、本実施例では、持ち玉管理装置１０や残度数管理装置１５などの上位装置でプリペイドカードＩＤに対応付けて持ち玉又はプリペイド残度数を記憶することとしたが、プリペイドカード自体に持ち玉又はプリペイド残度数を直接記録してもよいし、また、上位装置で持ち玉又はプリペイド残度数を記憶管理しつつ、併せてプリペイドカード自体に記録するようにしてもよい。なお、プリペイドカードに直接記録する場合には、上位装置が不要となることは言うまでもない。
【０１１０】
また、本実施例では、持ち玉管理装置１０及び残度数管理装置１５に持ち玉及び残度数を個別に管理させる例を説明したが、必ずしも個別管理する必要はなく、持ち玉管理装置１０及び残度数管理装置１５を統合し、持ち玉及び残度数の両方を管理する価値管理装置を設けるようにしてもかまわない。
【０１１１】
なお、本実施例では、非会員（ビジター）の遊技客がプリペイドカードを用いる場合について説明したが、遊技店会員に加入した遊技客が会員カードや携帯端末等の会員特定媒体を用いて景品交換を行う場合にも同様に適用することができる。なお、この場合には、カード挿入時に暗証番号等による認証処理を行うように構成するのが好ましい。
【実施例２】
【０１１２】
さて、上記の実施例１では、景品管理装置５０にて正確な台番号を表示することで不正行為に対する抑止効果を得る実施例を説明したが、他の情報を表示することで同様に抑止効果を得ることもできる。そこで、実施例２では、パチンコ機４０で遊技を行っている際に遊技客を撮像した映像を景品管理装置１００で表示することで、カード盗難や計数ゴトなどの不正行為を抑止する実施例を説明する。
【０１１３】
まず、本実施例に係る各台計数システムのシステム構成について説明する。なお、以下では、上記の実施例１に係る各台計数システム１と対比しながら説明を進めることとし、同様の機能を発揮するものについては実施例１と同一の符号を付してその説明を省略する。
【０１１４】
図１０は、実施例２に係る各台計数システムのシステム構成図である。図１０に示すように、実施例２に係る各台計数システム３は、図１に示した各台計数システム１と比較して、監視対象となるパチンコ機４０を撮像・監視する追尾カメラ８０と、各パチンコ機４０に対応して配置され操作者を撮像・監視する各台カメラ８１と、追尾カメラ８０および各台カメラ８１によって撮像された映像を蓄積する映像サーバ９０とをさらに有する点が相違する。
【０１１５】
追尾カメラ８０は、遊技場内の所定領域を撮像可能な撮像装置であり、カメラのズーム倍率を変更する電動ズームレンズを具備し、カメラを水平面内で回転する回転角とカメラを鉛直面において傾斜させて水平面と成す角度で表されるチルト角を変更可能な電動雲台に搭載される。そして、この追尾カメラ８０は、映像サーバ９０からの指示により、パチンコ機４０や景品管理装置１００ごとに設定された回転角、チルト角、ズーム倍率で各パチンコ機４０を撮像する。なお、本実施例では、各遊技島の間の通路の天井に追尾カメラ８０が複数台設置され、遊技場全体のパチンコ機４０が撮像可能であるものとする。
【０１１６】
各台カメラ８１は、１台のパチンコ機４０につき１つ設置されるとともに、操作者を含む前方域を撮像する撮像装置である。この各台カメラ８１は、映像サーバ９０からの指示により、設置時に割り当てられた対象領域（パチンコ機４０とＣＲユニット７０のペア及びその操作者である遊技客を含む前方域）を撮像してその映像を映像サーバ９０に送信する。なお、ここでは、各台カメラ８１が他の店内機器とは独立して設置される例を説明したが、各ＣＲユニット７０やパチンコ機４０の上部に設置される呼出しランプ（図示せず）にカメラを内蔵するようにしてもよい。
【０１１７】
映像サーバ９０は、追尾カメラ８０及び各台カメラ８１に対するパチンコ機４０の撮像指示並びに追尾カメラ８０及び各台カメラ８１によって撮像された映像の蓄積を行うサーバ装置である。具体的には、撮像対象とするパチンコ機４０を撮像範囲に収容する追尾カメラ８０に対して、当該パチンコ機４０に設定された回転角、チルト角、ズーム倍率への変更を指示することにより、パチンコ機４０及びその周辺を撮像させ、該撮像された映像を蓄積する。なお、各台カメラ８１は、追尾カメラ８０のように複数領域の撮像が割り当てられていないことから撮像位置を固定することができるので、撮像指示だけを送るだけでよい。
【０１１８】
ここで、本実施例は、パチンコ機４０で遊技を行っている遊技客を追尾カメラ８０及び各台カメラ８１を用いて撮像し、該撮像した映像を映像連番に紐付けて映像サーバ９０に蓄積しておく一方でプリペイドカードにはその映像連番を関連付け、景品管理装置１００でプリペイドカードに関連付けられた映像連番を取得し、該取得した映像連番に対応する映像を映像サーバ９０に問い合わせ、該問合せ結果として得られた映像を係員向け及び遊技者向けの表示部に表示させる点にその特徴がある。
【０１１９】
例えば、図１１に示すように、パチンコ機４０で遊技を行っている際に遊技客を撮像した映像を係員向けの表示部に表示させることにより、遊技客が他店のパチンコ玉や偽造のパチンコ玉を持ち込んでいないかどうかを監視したり、さらには、遊技を行っている人物と景品交換を行う人物が同一人物であるか否かを監視することができるようにしている。
また、図１２に示すように、遊技者向けの表示部においても遊技時における映像を表示させることにより、係員によって上記の監視が行われていることを遊技客に意識付けすることができるようにしている。
【０１２０】
したがって、本実施例では、店側は計数ゴトやカード盗難を監視でき、かつ、これらの不正行為が店側に監視されていることを客側に認識させることができる。この結果、実施例１と同様、カード盗難や計数ゴトを抑止することが可能となる。
【０１２１】
特に、カード盗難が起こった場合には、本来のプリペイドカードの所有者の映像が表示されることになるので、カードの窃盗を行って景品交換を行う不正者を看破するとともにその不正者に窃盗行為を証明する物証を提示することができ、カード盗難を防止することも可能となる。
【０１２２】
続いて、本実施例に係る各台計数システムを構成する各装置の構成を説明する。なお、ここでは、ＣＲユニット７０の構成を説明してから映像サーバ９０の構成を説明し、景品管理装置１００の構成を説明することとする。
【０１２３】
前述したように、ここでは、本実施例に係るＣＲユニットの構成について説明する。図１３は、実施例２に係るＣＲユニットの内部構成を示す機能ブロック図である。
【０１２４】
同図に示すように、このＣＲユニット７０は、図５に示したＣＲユニット３０に比較して、映像サーバ９０に蓄積される映像と紐付けられた映像連番を示す映像連番データ７１ａを記憶部７１内に記憶する点、制御部７２に映像連番取得部７２ａをさらに内在する点が相違する。
【０１２５】
映像連番取得部７２ａは、映像サーバ９０によって映像に紐付けられる映像連番を取得する処理部である。詳細は図１６を用いて後述するが、概要としては、遊技客がＣＲユニット７０に所定の操作を行った時に操作受付通知を映像サーバ９０に行うことで、遊技客が遊技台に在席しかつ遊技を行っている蓋然性が高いタイミングで映像サーバ９０に撮像制御を実行させ、このようにして撮像された映像を現在挿入中のプリペイドカードにリンクさせるために、当該映像に紐付けられた映像連番を映像サーバ９０から取得し、記憶部７１内に映像連番データ７１ａとして登録する。
【０１２６】
関連付け部７２ｂは、ペアとなるパチンコ機４０の台番号に代えて、映像サーバ９０によって蓄積される映像と紐付けられた映像連番をプリペイドカードに関連付ける点が図５に示した関連付け部３８ｄと相違する。詳細は図１７を用いて後述するが、概要としては、プリペイドカードの返却操作を受け付けた際に、少なくとも記憶部７１によって持ち玉データ３７ａとして記憶された持ち玉がゼロ以上であるならば、記憶部７１内に記憶された持ち玉データ３７ａ及び映像連番データ７１ａを発行対象とするプリペイドカードのＩＤに対応付けて登録するように持ち玉管理装置１０に依頼する。
【０１２７】
次に、本実施例に係る映像サーバの構成について説明する。図１４は、実施例２に係る映像サーバの構成を示す機能ブロック図である。同図に示すように、この映像サーバ９０は、ＣＲユニット７０、追尾カメラ８０、各台カメラ８１や景品管理装置１００との間で各種通信を行うためのインターフェースである通信Ｉ／Ｆ部９１と、記憶部９２と、制御部９３とを有する。
【０１２８】
記憶部９２は、制御部９３による各種処理に必要なデータおよびプログラムを記憶する不揮発性メモリ等の記憶デバイスであり、映像連番ごとに追尾カメラ８０および各台カメラ８１によって撮像された映像を記憶する映像ＤＢ９２ａを有する。
【０１２９】
制御部９３は、映像サーバ９０を全体制御する制御部であり、映像取得部９３ａと、映像紐付け部９３ｂと、映像問合せ応答部９３ｃとを有する。実際には、これらの機能部に対応するプログラムを図示しないＲＯＭや不揮発性メモリに記憶しておき、これらのプログラムをＣＰＵにロードして実行し、映像取得部９３ａ、映像紐付け部９３ｂ及び映像問合せ応答部９３ｃにそれぞれ対応するプロセスを実行させることになる。
【０１３０】
映像取得部９３ａは、ＣＲユニット７０から操作受付が通知されたタイミングで追尾カメラ８０又は各台カメラ８１に撮像させた映像を取得する処理部である。具体的には、ＣＲユニット７０の映像連番取得部７２ａから操作受付通知を受け付けると、通知元のＣＲユニット７０のペアとなるパチンコ機４０を撮像範囲に収容する追尾カメラ８０に対して、当該パチンコ機４０に設定された回転角、チルト角、ズーム倍率への変更を指示することにより、パチンコ機４０及びその周辺を撮像させてその映像を取得する。また、操作受付通知の通知元のＣＲユニット７０及びそのペアのパチンコ機４０を撮像範囲に収容する各台カメラ８１に撮像指示を行ってその映像を取得する。なお、ここで取得する映像は、静止画であってもよいし動画であってもかまわない。
【０１３１】
映像紐付け部９３ｂは、映像取得部９３ａによって取得された映像を映像連番に紐付ける処理部である。具体的には、映像取得部９３ａによって取得された映像に映像連番を採番し、該採番した映像連番に対応付けて映像を映像ＤＢ９２ａに格納する。なお、本実施例では、付与される順番に番号がインクリメントされる連番を用いて映像を紐付けることとしたが、映像ＤＢ９２ａに記憶される映像を一意に特定することができるものであればよく、たとえば名前や時刻等を連番の代わりに用いることとしてもかまわない。
【０１３２】
映像問合せ応答部９３ｃは、映像問合せに応答して映像を返信する処理部である。具体的には、景品管理装置１００から映像連番を含む映像問合せを受け付けた場合に、該映像連番に対応する映像を映像ＤＢ９２ａから読み出し、該読み出した映像を景品管理装置１００に返信する。なお、ここでは、景品管理装置１００からの映像問合せに対応する映像を応答する例を説明したが、持ち玉管理装置１０や残度数管理装置１５などの他の装置からの映像問合せに応答して映像を返信するようにしてもよい。
【０１３３】
次に、本実施例に係る景品管理装置の構成について説明する。図１５は、実施例２に係る景品管理装置の構成を示す機能ブロック図である。同図に示すように、この景品管理装置１００は、図６に示した景品管理装置５０に比較して、映像サーバ９０に映像の問合せを行う映像問合せ部１１０ｂを制御部１１０に内在する点が相違し、さらに、制御部１１０に内在する関連付けデータ取得部１１０ａ及び表示制御部１１０ｃの処理内容が図６のものと部分的に相違する。
【０１３４】
関連付けデータ取得部１１０ａは、図６に示した関連付けデータ取得部５７ａと同様に、プリペイドカードに関連付けられた関連付けデータを取得する処理部であるが、関連付けデータ取得部５７ａが持ち玉データ及び台番号データを持ち玉管理装置１０に問い合わせるのに対し、持ち玉データ及び映像連番データを持ち玉管理装置１０に問い合わせる点が相違する。
【０１３５】
映像問合せ部１１０ｂは、映像サーバ９０に映像の問合せを行う処理部である。具体的には、関連付けデータ取得部１１０ａによって映像連番データが取得された場合に、その映像連番データに対応する映像を映像サーバ９０に問い合わせる。
【０１３６】
表示制御部１１０ｃは、図６に示した表示制御部５７ｂと同様に、従業員用タッチパネル５１及び遊技客用タッチパネル５２の表示制御を行う処理部であるが、図１１及び図１２に示すように、交換画面の表示に併せて、映像問合せ部１１０ｂの問合せ結果として得られた映像を両タッチパネルに表示させる点が相違する。
【０１３７】
次に、本実施例に係る各台計数システムの処理の流れについて詳細に説明する。なお、ここでは、ＣＲユニット７０及び映像サーバ９０によって行われる（１）映像紐付け処理を説明した後にＣＲユニット７０によって行われる（２）関連付け処理を説明し、最後に、持ち玉管理装置１０、映像サーバ９０及び景品管理装置１００によって行われる（３）表示制御処理を説明する。
【０１３８】
（１）映像紐付け処理
前述したように、本実施例に係る映像紐付け処理について説明する。図１６は、実施例２に係る映像紐付け処理に関するＣＲユニット及び映像サーバ間の制御シーケンスを示す図である。なお、この処理は、計数部３５の計数センサにおける動作により遊技台の下皿４２０の解放操作を検知した場合やパチンコ機４０における返却ボタン４１３の押下操作を検知した場合などＣＲユニット７０に対する所定の操作を受け付けた場合に開始される。
【０１３９】
同図に示すように、ＣＲユニット７０に対する所定の操作を受け付けると（ステップＳ４０１）、ＣＲユニット７０の映像連番取得部７２ａは、操作受付通知を映像サーバ９０に行う（ステップＳ４０２）。
【０１４０】
この操作受付通知を受け付けた映像サーバ９０の映像取得部９３ａは、通知元のＣＲユニット７０のペアとなるパチンコ機４０を撮像範囲に収容する追尾カメラ８０に対して、当該パチンコ機４０に設定された回転角、チルト角、ズーム倍率への変更を指示することにより、パチンコ機４０及びその周辺を撮像させてその映像を取得するか、或いは当該ＣＲユニット７０及びそのペアとなるパチンコ機４０を撮像範囲に収容する各台カメラ８１に撮像指示を行うことによりパチンコ機４０及びその周辺を撮像させてその映像を取得する（ステップＳ４０３）。
【０１４１】
そして、映像サーバ９０の映像紐付け部９３ｂは、映像取得部９３ａによって取得された映像に映像連番を採番し（ステップＳ４０４）、該採番した映像連番に対応付けて映像を映像ＤＢ９２ａに格納し（ステップＳ４０５）、当該映像連番を通知元のＣＲユニット７０に応答する（ステップＳ４０６）。
【０１４２】
一方、ＣＲユニット７０の映像連番取得部７２ａは、映像サーバ９０から応答された映像連番を記憶部７１内の映像連番データ７１ａに上書き更新し（ステップＳ４０７）、処理を終了する。
【０１４３】
なお、ここでは、遊技台の下皿４２０の解放操作や返却ボタン４１３の押下操作が行われることを条件に操作受付通知を行う例を説明したが、本発明はこれらの操作に限定されるものではなく、現金の挿入操作、玉貸ボタン４１２の押下操作、持ち玉返却ボタン３０３の押下操作などの他の操作を契機として操作受付通知を行うこととしてもよい。
【０１４４】
また、図１６に示したフローチャートでは、ＣＲユニット７０の記憶部７１内の映像連番データ７１ａを上書き更新する例を説明したが、持ち玉もしくは残度数が発生してからカード返却が行われるまでの期間に映像サーバ９０から受け取った映像連番全てを保持することとしてもよい。
【０１４５】
（２）関連付け処理
次に、本実施例に係る関連付け処理について説明する。図１７は、実施例２に係る関連付け処理の手順を示すフローチャートである。図１７では、図７に示した関連付け処理と同様の動作内容である箇所には同じ符号を付している。
【０１４６】
図１７に示すように、返却ボタン４１３の押下操作を受け付けると（ステップＳ１０１肯定）、関連付け部７２ｂは、記憶部７１に記憶された持ち玉データ３７ａを読み出す（ステップＳ１０２）。
【０１４７】
ここで、記憶部７１から読み出した持ち玉データ３７ａに持ち玉が存在する場合（ステップＳ１０３肯定）には、関連付け部７２ｂは、記憶部７１に記憶された映像連番データ７２ａをさらに読み出し（ステップＳ５０４）、これら読み出した持ち玉データ及び映像連番データを発行対象とするプリペイドカードのＩＤに対応付けて登録するように持ち玉管理装置１０に依頼し（ステップＳ５０５）、持ち玉管理装置１０からの関連付け完了応答（登録完了応答）を受け付けたならば挿入中のプリペイドカードをカード処理部３４に返却させ（ステップＳ１０６）、処理を終了する。
【０１４８】
一方、記憶部７１から読み出した持ち玉データ３７ａに持ち玉が存在しない場合（ステップＳ１０３否定）には、関連付け部７２ｂは、残度数更新部３８ｂによって保持される残度数もしくは残度数管理装置１５の残度数管理テーブルに記憶される残度数を取得し（ステップＳ１０７）、プリペイドカードに残度数が存在するか否かを判定する（ステップＳ１０８）。
【０１４９】
このとき、プリペイドカードに残度数が存在すれば（ステップＳ１０８肯定）、挿入中のプリペイドカードをカード処理部３４に返却させ（ステップＳ１０６）、処理を終了する。また、プリペイドカードにも残度数が存在しなければ（ステップＳ１０８否定）、カードを排出する必要がないのでそのまま処理を終了する。
【０１５０】
（３）表示制御処理
次に、本実施例に係る表示制御処理について説明する。図１８は、実施例２に係る表示制御処理に関する持ち玉管理装置、映像サーバ及び景品管理装置間の制御シーケンスを示す図である。なお、この処理は、景品交換処理時にプリペイドカードの読取操作を受け付けた際（図８に示したステップＳ２０２）に行われる処理である。
【０１５１】
図１８に示すように、プリペイドカードの読取操作が行われると、景品管理装置１００のカード処理部５４は、プリペイドカードからプリペイドカードＩＤを読み取る（ステップＳ６０１）。
【０１５２】
続いて、景品管理装置１００の関連付けデータ取得部１１０ａは、カード処理部５４によってプリペイドカードから読み取られたプリペイドカードＩＤに対応する持ち玉データ及び映像連番データを持ち玉管理装置１０に問い合わせる（ステップＳ６０２）。
【０１５３】
この問合せを受け付けた持ち玉管理装置１０では、問合せを受けたプリペイドカードＩＤに対応する持ち玉データ及び映像連番データを持ち玉管理テーブルから読み出し（ステップＳ６０３）、該読み出した持ち玉データ及び映像連番データを景品管理装置１００に応答する（ステップＳ６０４）。
【０１５４】
そして、景品管理装置１００の映像問合せ部１１０ｂは、関連付けデータ取得部１１０ａによって取得された映像連番データに対応する映像を映像サーバ９０に問い合わせる（ステップＳ６０５）。
【０１５５】
一方、映像サーバ９０の映像問合せ応答部９３ｃは、問合せを受けた映像連番データに対応する映像を映像ＤＢ９２ａから読み出し（ステップＳ６０６）、該読み出した映像を景品管理装置１００に応答する（ステップＳ６０７）。
【０１５６】
そして、景品管理装置１００の表示制御部１１０ｃは、交換画面の表示に併せて、映像問合せ部１１０ｂの問合せ結果として得られた映像を従業員用タッチパネル５１及び遊技客用タッチパネル５２に表示させ（ステップＳ６０８）、処理を終了する。
【０１５７】
上述してきたように、本実施例に係る各台計数システム３によれば、ＣＲユニット７０に対する遊技者の所定の操作が検知された場合に当該操作の受付を映像サーバ９０に通知し、追尾カメラ８０又は各台カメラ８１によって撮像された映像に紐付けられる映像連番を取得し、取得した映像連番をプリペイドカードに関連付けるようにＣＲユニット３０を構成し、操作の受付が通知されたタイミングで追尾カメラ８０又は各台カメラ８１に撮像させた映像を取得し、取得した映像を映像連番に紐付け、紐付けた映像連番に対応付けて取得した映像を蓄積するように映像サーバ９０を構成し、プリペイドカードに関連付けられた映像連番を取得し、取得した映像連番に対応する映像を映像サーバ９０に問い合わせ、問合せ結果として得られた映像を従業員用タッチパネル５１及び遊技客用タッチパネル５２に表示させるように景品管理装置１００を構成したので、店側は計数ゴトやカード盗難を監視でき、かつ、これらの不正行為が店側に監視されていることを客側に認識させることができ、カード盗難や計数ゴトを抑止することが可能となる
【０１５８】
なお、本実施例では、パチンコ機４０で遊技を行う遊技客を追尾カメラ８０及び各台カメラ８１で撮像することとしたが、本発明における撮像形態をこれに限定するものではない。例えば、１台もしくは複数のＣＲユニット７０につき１つの撮像装置を設置したり、島端に撮像装置を設置して遊技時の映像を得るようにしてもかまわない。
【０１５９】
また、本実施例では、上記の実施例１とは排他的に実施する場合について説明したが、本発明はこれに限定されるものではなく、実施例１及び実施例２を組み合わせて実施することもできる。
【０１６０】
すなわち、プリペイドカードへの関連付けを行うに際して、持ち玉データに加えて台番号データ及び映像連番データを関連付けておけば、図１９及び図２０に示すように、景品管理装置の従業員用タッチパネル５１及び遊技客用タッチパネル５２で台番号並びに遊技時の映像の両方を表示させることができ、実施例１と実施例２の両方の効果及びその相乗効果を得ることができる。
【実施例３】
【０１６１】
さて、本実施例では、上記の実施例１で説明した台番号表示による不正行為の抑止をさらに発展させ、かかる台番号を用いて持ち玉と遊技台における実際の出玉とを検証することにより計数ゴトの不正検知を行う実施例を説明する。
【０１６２】
まず、本実施例に係る各台計数システムのシステム構成について説明する。なお、以下では、上記の実施例１に係る各台計数システム１と対比しながら説明を進めることとし、同様の機能を発揮するものについては実施例１と同一の符号を付してその説明を省略する。
【０１６３】
図２１は、実施例３に係る各台計数システムのシステム構成図である。同図に示すように、実施例３に係る各台計数システム５は、図１に示した各台計数システム１と比較して、ホールコンピュータ５００をさらに有する点が相違する。
【０１６４】
このホールコンピュータ５００は、図示しない台データ管理テーブルを用いて、遊技店における台データを収集・管理する管理装置である。この台データ管理テーブルは、台番号ごとに該台番号の機種名、アウト数、セーフ数及び売上金額などの台データを記憶している。そして、パチンコ機４０から受け付けた各種パルス信号（例えば、アウト信号、セーフ信号及び売上信号など）を解釈して台データ管理テーブル内のアウト数、セーフ数又は売上金額を加算更新する。なお、アウト数とは、遊技台に打ち込まれたパチンコ玉の数量を指し、セーフ数とは、遊技台から賞玉として投出されたパチンコ玉の数量を指し、また、売上金額とは、遊技台で貸し玉の対価として得られた金額を指す。
【０１６５】
ここで、本実施例では、各パチンコ機４０の台番号データに対応付けて当該パチンコ機４０におけるセーフ数とアウト数もしくはセーフ数とアウト数との差分値である出玉数を台データとして収集しておき、プリペイドカードから取得した台番号データに対応する台データを問い合わせ、その問合せ結果である台データから得られた出玉数とプリペイドカードから取得した持ち玉数とのずれが許容範囲内であるか否かを判定する点にその特徴がある。
【０１６６】
すなわち、本実施例では、上記の実施例１に係る構成を採用することで持ち玉の由来である台番号が景品管理装置２００側で特定できるため、この台番号をキーにして遊技台の実際の出玉を景品管理装置２００に呼び出し、持ち玉と出玉との整合性をさらに判定することとした。
【０１６７】
かかる持ち玉と出玉の関係について説明すると、台移動で他の遊技台から持ち込んだ出玉を持ち玉として計数したり、拾い玉を持ち玉として計数しない限りは、ホールコンピュータ５００で管理される遊技台の出玉数よりも多い持ち玉数が存在することはない。したがって、出玉数を超える持ち玉数が存在する場合には、計数ゴトが行われている可能性が高いと推定することができる。
【０１６８】
このことから、本実施例では、持ち玉数が出玉数以下である場合（誤差がない場合）や持ち玉数が出玉数よりも大きくとも超過分が許容範囲よりも少ない場合には、上記の実施例１と同様に、交換画面に台番号表示を行い、一方、持ち玉数が出玉数よりも許容範囲を超えて大きい場合には、台番号表示に併せて計数ゴトが行われているおそれがある旨を報知する。
【０１６９】
したがって、本実施例では、プリペイドカードに関連付けられた台番号を用いて持ち玉と遊技台における実際の出玉とを検証することができ、景品カウンタで計数ゴトを自動的に検知することが可能となる。
【０１７０】
次に、本実施例に係る各台計数システムの要部となる景品管理装置の構成を説明する。図２２は、実施例３に係る景品管理装置の構成を示す機能ブロック図である。同図に示すように、実施例３に係る景品管理装置２００は、図６に示した景品管理装置５０に比較して、交換済み玉数管理テーブル２０５ａを記憶部２０５内に記憶する点、制御部２１０に台データ問合せ部２１０ａと、不正計数判定部２１０ｂとをさらに内在する点が相違する。
【０１７１】
交換済み玉数管理テーブル２０５ａは、台番号ごとに交換済み玉数を記憶したテーブルである。この交換済み玉数とは、既に景品交換が行われた持ち玉数であり、交換制御部２１０ｄによって台番号ごとに区別して更新される。そして、台番号ごとに交換済み玉数を記憶することで、ホールコンピュータ５００から取得した遊技台の出玉から交換済みの持ち玉を除き、１つの遊技台における未交換の持ち玉数を正確に求めることができるようにしている。
【０１７２】
台データ問合せ部２１０ａは、関連付けデータ取得部５７ａによって取得された台番号データに対応する台データをホールコンピュータ５００に問い合わせる処理部である。なお、この問合せを受け付けたホールコンピュータ５００からは、該当台番号の機種名、セーフ数、アウト数及び売上金額が問合せ応答として返信される。
【０１７３】
不正計数判定部２１０ｂは、台データ問合せ部２１０ａによる問合せ結果から得られた出玉数と、関連付けデータ取得部５７ａによって持ち玉データとして得られた持ち玉数とのずれが許容範囲内であるか否かを判定する処理部である。
【０１７４】
ここで、本実施例に係る不正計数判定部２１０ｂでは、不正計数（計数ゴト）を判定するに先立って、プリペイドカードから取得した台番号の遊技台で実際に景品カウンタに持ち込むことのできる出玉数（以下、「実出玉数」と言う）を算出することとした。
【０１７５】
すなわち、ホールコンピュータ５００から取得されるアウト数及びセーフ数の差である出玉数は、問い合わせた台番号のパチンコ機４０に打ち込まれたアウトの総数、また、そのパチンコ機４０から払い出されたセーフの総数である。
【０１７６】
これらアウト及びセーフの総数から得られる出玉には、ＣＲユニット３０によって現金と引き換えに貸し出された貸し玉の数が含まれないため、かかる出玉と持ち玉を単純に比較すると出玉数よりも持ち玉の方が多くなってしまう。
【０１７７】
このため、不正計数判定部２１０ｂでは、ホールコンピュータ５００から取得した売上金額からその遊技台における貸し玉数を算出し、セーフ数及び貸し玉数の和からアウト数を差し引くこととしている。
【０１７８】
さらに、このようにセーフ数＋貸し玉数−アウト数から得られる出玉数は、その台番号の遊技台で得られた出玉の総数であり、景品カウンタに同じ台番号が関連付けられたプリペイドカードを持ち込む遊技客が複数存在する場合にはその個人を特定することができず、二番目以降にプリペイドカードを持ち込んだ遊技客には、既に景品交換が行われた持ち玉も含んだ出玉と比較することとなってしまう。
【０１７９】
そこで、不正計数判定部２１０ｂは、問合せに用いた台番号に対応する交換済み玉数を交換済み玉数管理テーブル２０５ａから読み出し、セーフ数及び貸し玉数の和からアウト数を差し引くとともに、さらに交換済み玉数を差し引くこととしている。
【０１８０】
つまり、不正計数判定部２１０ｂでは、セーフ数及び貸し玉数を足し込み、アウト数及び交換済み玉数を差し引く計算、すなわちセーフ数＋貸し玉数−アウト数−交換済み玉数の計算を行うことによって、上記の実出玉数を算出することとした。これによって、プリペイドカードから取得した台番号の遊技台で実際に景品カウンタに持ち込むことのできる実出玉数を正確に算出することが可能となる。
【０１８１】
その上で、不正計数判定部２１０ｂは、関連付けデータ取得部５７ａによってプリペイドカードから取得された持ち玉数と実出玉数の誤差が許容範囲内であるか否かを判定する。言い換えれば、この不正計数判定部２１０ｂでは、持ち玉数が実出玉数よりも許容範囲を超えて大きいか否かを判定しており、この許容範囲には、台移動で他の遊技台から持ち込んだ出玉を持ち玉として計数したり、拾い玉を持ち玉として計数した場合の誤差を含んでいる。
【０１８２】
なお、本実施例では、上記の算出方式を用いて実出玉数を算出し、該算出した実出玉数と持ち玉数とを比較して不正計数であるか否かを判定することとしたが、本発明はこれに限定されるものではなく、上記の算出方式以外の方式で実出玉数を算出することとしてもよい。
【０１８３】
例えば、ＣＲユニット３０は、パチンコ機４０からの出玉がはじめて計数されたと推定することができるタイミング、すなわち持ち玉ゼロからのカウントアップが発生した際にその時刻を計数開始時刻としてスタック中のプリペイドカードに関連付けておき、さらに、持ち玉数がゼロよりも大きい状態でカード返却操作を受け付けた際にその時刻を計数完了時刻として返却カードに関連付けて排出する。
【０１８４】
このように計数開始時刻と計数完了時刻とをプリペイドカードに関連付けておけば、このプリペイドカードを受け付けた景品管理装置２００側では、プリペイドカードに関連付けられた台番号の台データとして、計数開始時刻から計数完了時刻までの区間のアウト数とセーフ数もしくは出玉数を問い合わせることができる。
【０１８５】
そして、ホールコンピュータ５００の応答から得られる出玉数は、持ち玉を保有する遊技客個人の出玉数であることから、この出玉数に貸し玉数を加算するだけで、交換済み玉数管理テーブル２０５ａによる交換済み玉数を用いて未交換玉数を求めなくともプリペイドカードを持ち込む遊技客の実出玉数を正確に特定することができる。
【０１８６】
また、ここでは、ＣＲユニット３０で持ち玉ゼロからのカウントアップが発生した時点をホールコンピュータ５００に問い合わせる台データの起点とすることとしたが、前回にカード排出された時点近傍の時刻を前回計数完了時刻としてスタック中のプリペイドカードに関連付けるとともに、今回にカード返却操作を受け付けた際にその時刻を今回計数完了時刻として返却カードに関連付けて排出することとしてもかまわない。この場合にも、同様に、持ち玉を保有する遊技客個人の出玉数をホールコンピュータ５００に問い合わせることができる。
【０１８７】
表示制御部２１０ｃは、図６に示した表示制御部５７ｂと同様に、従業員用タッチパネル５１及び遊技客用タッチパネル５２の表示制御を行うが、不正計数判定部２１０ｂの判定結果によりこれら両タッチパネルに表示させる内容が部分的に相違する。
【０１８８】
すなわち、不正計数判定部２１０ｂによって持ち玉数と実出玉数の誤差が許容範囲内であると判定された場合に、従業員用タッチパネル５１には、交換画面の表示に併せて、関連付けデータ取得部５７ａによって取得された台番号、計数値、払戻し数及び持ち玉数を表示させる他、台データ問合せ部２１０ａによる問合せ結果として得られた機種名をポップアップ画面として表示させる（図２３参照）。また、遊技客用タッチパネル５２には、交換業務を行う従業員に表示する画面よりも簡易な情報を表示させる（図２４参照）。
【０１８９】
一方、不正計数判定部２１０ｂによって持ち玉数と実出玉数の誤差が許容範囲を超えると判定された場合に、台番号並びに機種名の表示に併せて、計数ゴトが行われているおそれがある旨を従業員用タッチパネル５１に表示させる（図２５参照）。なお、ここでは、計数ゴトの従業員報知を従業員用タッチパネル５１で行う例を説明したが、遊技客用タッチパネル、他装置である持ち玉管理装置１０、残度数管理装置１５やホールコンピュータ５００の表示部に同様の内容を表示することにより、表示による報知を行う他、従業員が所持するインカムに同様の内容の音声を出力することにより、音声よる報知を行うこととしてもよい。
【０１９０】
次に、本実施例に係る各台計数システムの処理の流れを説明する。図２６は、実施例３に係る不正計数判定処理に関する持ち玉管理装置、景品管理装置及びホールコンピュータ間の制御シーケンスを示す図である。なお、この処理は、景品交換処理時にプリペイドカードの読取操作を受け付けた際（図８に示したステップＳ２０２）に行われる処理である。
【０１９１】
図２６に示すように、プリペイドカードの読取操作が行われると、景品管理装置２００のカード処理部５４は、プリペイドカードからプリペイドカードＩＤを読み取る（ステップＳ７０１）。
【０１９２】
続いて、景品管理装置２００の関連付けデータ取得部５７ａは、カード処理部５４によってプリペイドカードから読み取られたプリペイドカードＩＤに対応する持ち玉データ及び台番号データを持ち玉管理装置１０に問い合わせる（ステップＳ７０２）。
【０１９３】
この問合せを受け付けた持ち玉管理装置１０では、問合せを受けたプリペイドカードＩＤに対応する持ち玉データ及び台番号データを持ち玉管理テーブルから読み出し（ステップＳ７０３）、該読み出した持ち玉データ及び台番号データを景品管理装置２００に応答する（ステップＳ７０４）。
【０１９４】
そして、景品管理装置２００の台データ問合せ部２１０ａは、関連付けデータ取得部５７ａによって取得された台番号データに対応する台データをホールコンピュータ５００に問い合わせる（ステップＳ７０５）。
【０１９５】
この問合せを受け付けたホールコンピュータ５００では、問合せを受けた台番号に対応する台データを台データ管理テーブルから読み出し（ステップＳ７０６）、該読み出した台データを景品管理装置２００に応答する（ステップＳ７０７）。
【０１９６】
ここで、景品管理装置２００の不正計数判定部２１０ｂは、台データ問合せ部２１０ａによる問合せ結果としてアウト数、セーフ数及び売上金額と、交換済み玉数管理テーブル２０５ａによって問合せ台番号に対応付けて記憶された交換済み玉数とを用いて、上記の実出玉数を算出する（ステップＳ７０８）。
【０１９７】
そして、不正計数判定部２１０ｂは、関連付けデータ取得部５７ａによってプリペイドカードから取得された持ち玉数と、上記のように算出した実出玉数の誤差が許容範囲内であるか否かを判定する（ステップＳ７０９）。
【０１９８】
このとき、持ち玉数と実出玉数の誤差が許容範囲内である場合（ステップＳ７０９肯定）には、表示制御部２１０ｃは、関連付けデータ取得部５７ａによって台番号データ及び持ち玉データとして取得された台番号、計数値、払戻し数及び持ち玉数に加えて、台データ問合せ部２１０ａによって台データとして問い合わされた機種名を従業員用タッチパネル５１及び遊技客用タッチパネル５１に表示させ（ステップＳ７１０）、処理を終了する。
【０１９９】
一方、持ち玉数と実出玉数の誤差が許容範囲を超える場合（ステップＳ７０９否定）には、表示制御部２１０ｃは、台番号並びに機種名の表示に併せて、計数ゴトが行われているおそれがある旨を従業員用タッチパネル５１に表示させることにより、計数ゴトの報知を行う（ステップＳ７１１）。
【０２００】
上述してきたように、本実施例に係る各台計数システム５によれば、各パチンコ機４０の台番号データに対応付けて当該パチンコ機４０におけるセーフ数とアウト数もしくはセーフ数とアウト数との差分値である出玉数を台データとして収集するようにホールコンピュータ５００を構成し、プリペイドカードから取得した台番号データに対応する台データをホールコンピュータ５００に問い合わせ、その問合せ結果である台データから得られた出玉数とプリペイドカードから取得した持ち玉数とのずれが許容範囲内であるか否かを判定するように景品管理装置２００を構成したので、プリペイドカードに関連付けられた台番号を用いて持ち玉と遊技台における実際の出玉とを検証することができ、景品カウンタで計数ゴトを自動的に検知することが可能となる。
【０２０１】
また、本実施例に係る各台計数システム５によれば、パチンコ機４０の台番号データごとに当該遊技台に関する機種データを記憶しておくようにホールコンピュータ５００を構成し、プリペイドカードから取得した台番号データに対応する機種データをホールコンピュータ５００に問い合わせ、問合せ結果として得られた機種データを表示させるように景品管理装置２００を構成したので、遊技台もしくは複数の遊技台ごとに異なる機種名等の台データが提示されることになり、店側によって遊技内容がより詳細に監視されていることを客側に認識させる結果、カード盗難や計数ゴトをより効果的に抑止することが可能となる。
【実施例４】
【０２０２】
さて、本実施例では、上記の実施例２で説明した映像表示による不正行為の抑止をさらに発展させ、かかる遊技時の映像と景品交換時の映像とを用いて本人認証を行うことによりカード盗難の不正検知を行う実施例を説明する。
【０２０３】
すなわち、本実施例では、図２７に示すように、景品交換を行う遊技者を撮像するカメラ６１０を景品管理装置６００に設けておき、このカメラ６１０によって撮像された遊技者の映像と、映像サーバ９０に対する問合せ結果として得られた映像とを用いて、当該景品交換を行う遊技者が持ち玉を保有する遊技者本人であるか否かを認証することとした。
【０２０４】
これを具体的に説明すると、映像問合せ部１１０ｂによって映像サーバ９０から取得された映像は、パチンコ機４０で遊技を行っている際の遊技客の映像（遊技時の映像）であり、一方、景品カウンタに配設されるカメラ６１０によって撮像された映像は、景品交換を行う遊技客の映像（景品交換時の映像）である。
【０２０５】
そして、不正者が他の遊技客のプリペイドカードを盗まない限りは、遊技時及び景品交換時の両映像は一致するはずである。これら遊技時及び景品交換時の映像が一致しないケースでは、景品交換を行おうとしている遊技客が他の遊技客のプリペイドカードを抜き取った可能性が高い。
【０２０６】
ここで、本実施例では、遊技時の映像及び景品交換時の映像の両方から顔画像を切り出し、該切り出した両顔画像を用いて顔認証を行う。具体的には、図２７及び図２８に示すように、景品管理装置６００に顔画像の切り出し及び顔認証を行う画像処理系のソフトウェアを本人認証部６２０ａとしてインストールしておき、遊技時の顔画像及び景品交換時の顔画像を照合する。そして、両顔画像の類似度が所定値以上である場合には、景品交換を行う遊技客が遊技を行っていた遊技客本人であると判定して後の景品交換を許容する一方で、両顔画像の類似度が所定値未満である場合には、景品交換を行う遊技客が遊技を行っていた遊技客本人ではないと判定してカード盗難のおそれがある旨を報知する。
【０２０７】
この報知の形態としては、従業員用タッチパネル５１及び遊技客用タッチパネル５２を通じてカード盗難のおそれがある旨の表示を行ったり、他装置で同様の表示を行ったりして表示による報知を行うこともできるし、従業員が所持するインカム等で同様の内容の音声による報知を行うこととしてもよい。
【０２０８】
このように、本実施例によれば、プリペイドカードに関連付けられた遊技時の映像と景品カウンタで撮像した景品交換時の映像とを用いて本人認証を行うので、景品管理装置６００が配設される景品カウンタでカード盗難を自動的に検知することができ、退店前に不正者を取り押さえることが可能となる。
【０２０９】
ところで、本実施例では、映像を用いた本人認証を行う手法として顔認証を行うこととしたが、本発明はこれに限定されるものではなく、たとえば風貌認証などの他の認証手法を用いることができる。なお、この風貌認証とは、顔の髭の有無、服の色合いや模様、めがねの有無などにより本人認証を行うものを指す。
【０２１０】
なお、本実施例では、景品管理装置６００にカメラ６１０を設けることとしたが、景品交換時の映像を撮る撮像装置には、映像サーバ９０に接続される追尾カメラ８０を流用してもよいし、景品管理装置６００とは別の装置に接続されるカメラを用いるようにしてもかまわない。
【産業上の利用可能性】
【０２１１】
以上のように、本発明に係る各台計数システム及び景品管理装置は、遊技用記録媒体の盗難並びに計数ゴトを抑止することに適している。
【図面の簡単な説明】
【０２１２】
【図１】実施例１に係る各台計数システムのシステム構成図である。
【図２】係員向けの表示部に表示される画面例の一例を示す図である。
【図３】遊技客向けの表示部に表示される画面例の一例を示す図である。
【図４】実施例１に係るＣＲユニットの外観を示した正面図である。
【図５】実施例１に係るＣＲユニットの内部構成を示す機能ブロック図である。
【図６】実施例１に係る景品管理装置の構成を示す機能ブロック図である。
【図７】実施例１に係る関連付け処理の手順を示すフローチャートである。
【図８】実施例１に係る景品交換処理の手順を示すフローチャートである。
【図９】実施例１に係る表示制御処理に関する持ち玉管理装置及び景品管理装置間の制御シーケンスを示す図である。
【図１０】実施例２に係る各台計数システムのシステム構成図である。
【図１１】係員向けの表示部に表示される画面例の一例を示す図である。
【図１２】遊技客向けの表示部に表示される画面例の一例を示す図である。
【図１３】実施例２に係るＣＲユニットの内部構成を示す機能ブロック図である。
【図１４】実施例２に係る映像サーバの構成を示す機能ブロック図である。
【図１５】実施例２に係る景品管理装置の構成を示す機能ブロック図である。
【図１６】実施例２に係る映像紐付け処理に関するＣＲユニット及び映像サーバ間の制御シーケンスを示す図である。
【図１７】実施例２に係る関連付け処理の手順を示すフローチャートである。
【図１８】実施例２に係る表示制御処理に関する持ち玉管理装置、映像サーバ及び景品管理装置間の制御シーケンスを示す図である。
【図１９】係員向けの表示部に表示される画面例の一例を示す図である。
【図２０】遊技客向けの表示部に表示される画面例の一例を示す図である。
【図２１】実施例３に係る各台計数システムのシステム構成図である。
【図２２】実施例３に係る景品管理装置の構成を示す機能ブロック図である。
【図２３】係員向けの表示部に表示される画面例の一例を示す図である。
【図２４】遊技客向けの表示部に表示される画面例の一例を示す図である。
【図２５】係員向けの表示部に表示される画面例の一例を示す図である。
【図２６】実施例３に係る不正計数判定処理に関する持ち玉管理装置、景品管理装置及びホールコンピュータ間の制御シーケンスを示す図である。
【図２７】実施例４に係る景品管理装置の構成を示す機能ブロック図である。
【図２８】実施例４に係る本人認証の概念を説明するための説明図である。
【符号の説明】
【０２１３】
１    各台計数システム
１０    持ち玉管理装置
１５    残度数管理装置
２０    島コントローラ
３０    計数機能付きＣＲユニット
３１    操作部
３２    表示部
３３ａ  通信Ｉ／Ｆ部
３３ｂ  遊技機用通信Ｉ／Ｆ部
３４    カード処理部
３５    計数部
３６    持ち玉払出し部
３７    記憶部
３８    制御部
３８ａ  持ち玉更新部
３８ｂ  残度数更新部
３８ｃ  玉貸し処理部
３８ｄ  関連付け部
４０    パチンコ機
５０    景品管理装置
５１    従業員用タッチパネル
５２    遊技客用タッチパネル
５３    通信Ｉ／Ｆ部
５４    カード処理部
５５    印字部
５６    記憶部
５６ａ  交換玉数管理テーブル
５７    制御部
５７ａ  関連付けデータ取得部
５７ｂ  表示制御部
５７ｃ  交換制御部
６０    景品払出機
【図１】
2010042112.tif 000003
【図２】
2010042112.tif 000004
【図３】
2010042112.tif 000005
【図４】
2010042112.tif 000006
【図５】
2010042112.tif 000007
【図６】
2010042112.tif 000008
【図７】
2010042112.tif 000009
【図８】
2010042112.tif 000010
【図９】
2010042112.tif 000011
【図１０】
2010042112.tif 000012
【図１１】
2010042112.tif 000013
【図１２】
2010042112.tif 000014
【図１３】
2010042112.tif 000015
【図１４】
2010042112.tif 000016
【図１５】
2010042112.tif 000017
【図１６】
2010042112.tif 000018
【図１７】
2010042112.tif 000019
【図１８】
2010042112.tif 000020
【図１９】
2010042112.tif 000021
【図２０】
2010042112.tif 000022
【図２１】
2010042112.tif 000023
【図２２】
2010042112.tif 000024
【図２３】
2010042112.tif 000025
【図２４】
2010042112.tif 000026
【図２５】
2010042112.tif 000027
【図２６】
2010042112.tif 000028
【図２７】
2010042112.tif 000029
【図２８】
2010042112.tif 000030